(57)【要約】  ＩＰマルチメディアサブシステムネットワークを介してユーザ機器とマルチメディアゲートウェイとの間の通信を可能にするために、フェムト基地局（１０２）、マルチメディアゲートウェイ（１０１）、ユーザ機器（１１３）、ＩＭＳアプリケーションサーバ（１２１）及びそれらの制御方法が提供される。マルチメディアゲートウェイは、前記フェムト基地局により生成されたセルと関連するセル情報を前記フェムト基地局から受信する第１の受信手段（３０７）と、フェムト基地局により生成されたセルに接続されたユーザ機器と前記マルチメディアゲートウェイとを一意に関連付ける識別情報を生成する生成手段（３０６）と、ＩＭＳネットワークにおいて識別情報を含むＳＩＰメッセージをＩＭＳアプリケーションサーバに送信する送信手段とを含む。【選択図】図３Ｄ
2011525307.tif 000002
【特許請求の範囲】
【請求項１】
セルを生成し、ＩＭＳゲートウェイ機能及びデバイス検出機能を有するマルチメディアゲートウェイと通信するように構成されたフェムト基地局であって、
前記フェムト基地局により生成された前記セルに関連付けられたセル情報を無線ネットワーク制御装置から受信する受信手段と、
前記セル情報を前記マルチメディアゲートウェイに送信する第１の送信手段と、
前記セルに接続されたユーザ機器に前記セル情報を送信する第２の送信手段と
を備えることを特徴とするフェムト基地局。
【請求項２】
前記セル情報は、モバイル国コード、モバイルネットワークコード、ＵＭＴＳセルアイデンティティ及びローカルエリアコードを含むことを特徴とする請求項１記載のフェムト基地局。
【請求項３】
ＩＭＳゲートウェイ機能及びデバイス検出機能を有し、セルを生成するように構成されたフェムト基地局と通信するように構成されたマルチメディアゲートウェイであって、
前記セルに関連付けられたセル情報を前記フェムト基地局から受信する第１の受信手段と、
前記受信したセル情報を使用して、前記セルを介して前記フェムト基地局に接続されたユーザ機器と前記マルチメディアゲートウェイとを一意に関連付ける識別情報を生成する生成手段と、
前記識別情報を含むＳＩＰメッセージをＩＭＳネットワークを介してＩＭＳアプリケーションサーバに送信する送信手段と
を備えることを特徴とするマルチメディアゲートウェイ。
【請求項４】
ＩＭＳゲートウェイ機能及びデバイス検出機能を有するマルチメディアゲートウェイであり、前記マルチメディアゲートウェイに対する第１の無線ローカルエリアネットワーク及びユーザ機器に対する第２の無線ローカルエリアネットワークを生成するように構成された無線ローカルエリアネットワークアクセスポイントと通信するように構成されたマルチメディアゲートウェイであって、
前記第１の無線ローカルエリアネットワークを介して前記無線ローカルエリアネットワークアクセスポイントを一意に識別するために使用される情報を前記無線ローカルエリアネットワークアクセスポイントから受信する第１の受信手段と、
前記受信した情報を使用して前記マルチメディアゲートウェイを前記ユーザ機器と一意に関連付ける識別情報を生成する生成手段と、
前記識別情報を含むＳＩＰメッセージをＩＭＳネットワークを介してＩＭＳアプリケーションサーバに送信する送信手段と
を備えることを特徴とするマルチメディアゲートウェイ。
【請求項５】
前記識別情報は、前記ＳＩＰメッセージのヘッダ部分に付加されるP-Access-Network-Infoであることを特徴とする請求項３又は４記載のマルチメディアゲートウェイ。
【請求項６】
前記送信手段により送信された前記ＳＩＰメッセージは、SUBSCRIBEメッセージであるか又は前記マルチメディアゲートウェイに接続された少なくとも１つのクライアントデバイスを制御するための制御情報を含むPUBLISHメッセージであることを特徴とする請求項３乃至５のいずれか１項に記載のマルチメディアゲートウェイ。
【請求項７】
前記ユーザ機器に関するプレゼンス情報又は前記ユーザ機器の連絡先アドレスを通知するＳＩＰメッセージを受信する第２の受信手段を更に備えることを特徴とする請求項３乃至６のいずれか１項に記載のマルチメディアゲートウェイ。
【請求項８】
セルを生成し、ＩＭＳゲートウェイ機能及びデバイス検出機能を有するマルチメディアゲートウェイと通信するように構成されたフェムト基地局に接続されるように構成されたユーザ機器であって、
前記フェムト基地局から前記セルに関連付けられたセル情報を受信する受信手段と、
前記受信したセル情報を使用して前記マルチメディアゲートウェイを前記ユーザ機器と一意に関連付ける識別情報を生成する生成手段と、
前記識別情報を含むＳＩＰメッセージをＩＭＳネットワークを介してＩＭＳアプリケーションサーバに送信する送信手段と
を備えることを特徴とするユーザ機器。
【請求項９】
ユーザ機器であって、ＩＭＳゲートウェイ機能及びデバイス検出機能を有するマルチメディアゲートウェイに対する第１の無線ローカルエリアネットワークと前記ユーザ機器に対する第２の無線ローカルエリアネットワークとを生成するように構成された無線ローカルエリアネットワークアクセスポイントに接続されるように構成され、該ユーザ機器は、
前記第２の無線ローカルエリアネットワークを介して前記無線ローカルエリアネットワークアクセスポイントを一意に識別するために使用される情報を受信する受信手段と、
前記受信した情報を使用して前記マルチメディアゲートウェイを前記ユーザ機器と一意に関連付ける識別情報を生成する生成手段と、
前記識別情報を含むＳＩＰメッセージをＩＭＳネットワークを介してＩＭＳアプリケーションサーバに送信する送信手段と
を備えることを特徴とするユーザ機器。
【請求項１０】
ＩＭＳネットワークに接続されるように構成され、かつ、ＩＭＳゲートウェイ機能及びデバイス検出機能を有するマルチメディアゲートウェイ、及び、前記マルチメディアゲートウェイと通信するように構成された無線ローカルエリアネットワークアクセスポイント又はフェムト基地局に接続されるように構成されたユーザ機器と通信するように構成されたＩＭＳアプリケーションサーバであって、
前記マルチメディアゲートウェイ又は前記ユーザ機器から送信され、前記マルチメディアゲートウェイを前記ユーザ機器と一意に関連付ける識別情報を含む第１のＳＩＰメッセージを受信する第１の受信手段と、
前記第１のＳＩＰメッセージの発信元ＳＩＰ ＵＲＩと関連付けられた前記受信した識別情報のリストを格納する記憶手段と、
同一の識別情報を有するＳＩＰ ＵＲＩのグループを見つけるために前記リストを探索する探索手段と、
前記探索されたグループ中の各ＳＩＰ ＵＲＩ宛に、該宛先のＳＩＰ ＵＲＩと対になる別のＳＩＰ ＵＲＩを含む第２のＳＩＰメッセージを送信する送信手段と
を備えることを特徴とするＩＭＳアプリケーションサーバ。
【請求項１１】
前記識別情報及び添付ファイルを含む第３のＳＩＰメッセージを前記マルチメディアゲートウェイ又は前記ユーザ機器から受信する第２の受信手段を更に備え、
前記探索手段は、前記第２のＳＩＰメッセージで受信した識別情報と同一の、前記リストに含まれる識別情報を更に探索し、
前記送信手段は、前記探索された識別情報と関連付けられた宛先に対し前記第３のＳＩＰメッセージで受信した前記添付ファイルを更に送信する
ことを特徴とする請求項１０記載のＩＭＳアプリケーションサーバ。
【請求項１２】
前記添付ファイルは、前記ユーザ機器のプレゼンス情報であるか、又は、前記マルチメディアゲートウェイに接続された少なくとも１つのクライアントデバイスを制御するための制御情報であることを特徴とする請求項１０又は１１記載のＩＭＳアプリケーションサーバ。
【請求項１３】
ＩＭＳネットワークに接続されるように構成され、かつ、ＩＭＳゲートウェイ機能及びデバイス検出機能を有するマルチメディアゲートウェイ、及び、前記マルチメディアゲートウェイと通信するように構成された無線ローカルエリアネットワークアクセス又はフェムト基地局に接続されるように構成されたユーザ機器と通信するように構成されたＩＭＳアプリケーションサーバであって、
前記マルチメディアゲートウェイ又は前記ユーザ機器に関する登録状態の変更が発生したことの前記ＩＭＳアプリケーションサーバへの通知を要求する第１のＳＩＰメッセージをコールセッション制御機能サーバに送信する送信手段と、
登録状態が変更された前記マルチメディアゲートウェイ又は前記ユーザ機器のＳＩＰ ＵＲＩ及び識別情報を通知する第２のＳＩＰメッセージを受信する受信手段であって、前記識別情報が前記マルチメディアゲートウェイを前記ユーザ機器と一意に関連付ける受信手段と、
前記第２のＳＩＰメッセージで受信した前記ＳＩＰ ＵＲＩ及び前記識別情報を互いに関連付けたリストを格納する記憶手段と、
前記リスト中の同一の識別情報と関連付けられたＳＩＰ ＵＲＩを探索する探索手段と、
前記探索されたＳＩＰ ＵＲＩの１つを通知するＳＩＰメッセージを別の探索されたＳＩＰ ＵＲＩに対応する宛先に送信する送信手段と
を備えることを特徴とするＩＭＳアプリケーションサーバ。
【請求項１４】
セルを生成し、ＩＭＳゲートウェイ機能及びデバイス検出機能を有するマルチメディアゲートウェイと通信するように構成されたフェムト基地局を制御する方法であって、
前記フェムト基地局により生成された前記セルに関連付けられたセル情報を無線ネットワーク制御装置から受信するステップと、
前記マルチメディアゲートウェイに前記セル情報を送信するステップと、
前記セルに接続されたユーザ機器に前記セル情報を送信するステップと
を備えることを特徴とする方法。
【請求項１５】
ＩＭＳゲートウェイ機能及びデバイス検出機能を有し、セルを生成するように構成されたフェムト基地局と通信するように構成されたマルチメディアゲートウェイを制御する方法であって、
前記セルに関連付けられたセル情報を前記フェムト基地局から受信するステップと、
前記受信したセル情報を使用して、前記セルを介して前記フェムト基地局に接続されたユーザ機器と前記マルチメディアゲートウェイとを一意に関連付ける識別情報を生成するステップと、
前記識別情報を含むＳＩＰメッセージをＩＭＳネットワークを介してＩＭＳアプリケーションサーバに送信するステップと
を備えることを特徴とする方法。
【請求項１６】
マルチメディアゲートウェイを制御する方法であって、前記マルチメディアゲートウェイはＩＭＳゲートウェイ機能及びデバイス検出機能を有し、該マルチメディアゲートウェイに対する第１の無線ローカルエリアネットワーク及びユーザ機器に対する第２の無線ローカルエリアネットワークを生成するように構成された無線ローカルエリアネットワークアクセスポイントと通信するように構成され、
前記方法は、
前記第１の無線ローカルエリアネットワークを介して前記無線ローカルエリアネットワークアクセスポイントを一意に識別するために使用される情報を前記無線ローカルエリアネットワークアクセスポイントから受信するステップと、
前記受信した情報を使用して前記マルチメディアゲートウェイを前記ユーザ機器と一意に関連付ける識別情報を生成するステップと、
前記識別情報を含むＳＩＰメッセージをＩＭＳネットワークを介してＩＭＳアプリケーションサーバに送信するステップと
を備えることを特徴とする方法。
【請求項１７】
ユーザの連絡先アドレスを含むユーザ機器に関するプレゼンス情報を通知するＳＩＰメッセージを受信するステップを更に備えることを特徴とする請求項１５又は１６記載の方法。
【請求項１８】
セルを生成し、ＩＭＳゲートウェイ機能及びデバイス検出機能を有するマルチメディアゲートウェイと通信するように構成されたフェムト基地局に接続されるように構成されたユーザ機器を制御する方法であって、
前記セルに関連付けられたセル情報を前記フェムト基地局から受信するステップと、
前記受信したセル情報を使用して前記マルチメディアゲートウェイを前記ユーザ機器と一意に関連付ける識別情報を生成するステップと、
前記識別情報を含むＳＩＰメッセージをＩＭＳネットワークを介してＩＭＳアプリケーションサーバに送信するステップと
を備えることを特徴とする方法。
【請求項１９】
ユーザ機器を制御する方法であって、前記ユーザ機器は、ＩＭＳゲートウェイ機能及びデバイス検出機能を有するマルチメディアゲートウェイに対する第１の無線ローカルエリアネットワーク、及び、前記ユーザ機器に対する第２の無線ローカルエリアネットワークを生成するように構成された無線ローカルエリアネットワークアクセスポイントに接続されるように構成され、
前記方法は、
前記第２の無線ローカルエリアネットワークを介して前記無線ローカルエリアネットワークアクセスポイントを一意に識別するために使用された情報を受信するステップと、
前記受信した情報を使用して前記マルチメディアゲートウェイを前記ユーザ機器と一意に関連付ける識別情報を生成するステップと、
前記識別情報を含むＳＩＰメッセージをＩＭＳネットワークを介してＩＭＳアプリケーションサーバに送信するステップと
を備えることを特徴とする方法。
【請求項２０】
ＩＭＳアプリケーションサーバを制御する方法であって、前記ＩＭＳアプリケーションサーバは、ＩＭＳネットワークに接続されるように構成され、かつ、ＩＭＳゲートウェイ機能及びデバイス検出機能を有するマルチメディアゲートウェイ、及び、前記マルチメディアゲートウェイと通信するように構成された無線ローカルエリアネットワークアクセスポイント又はフェムト基地局に接続されるように構成されたユーザ機器と通信するように構成され、
前記方法は、
前記マルチメディアゲートウェイ又は前記ユーザ機器から送信され、前記マルチメディアゲートウェイを前記ユーザ機器と一意に関連付ける識別情報を含む第１のＳＩＰメッセージを受信するステップと、
前記第１のＳＩＰメッセージの発信元ＳＩＰ ＵＲＩと関連付けられた前記受信した識別情報のリストを格納するステップと、
同一の識別情報を有するＳＩＰ ＵＲＩのグループを見つけるために前記リストを探索するステップと、
前記探索されたグループ中の各ＳＩＰ ＵＲＩ宛に、該宛先のＳＩＰ ＵＲＩと対になる別のＳＩＰ ＵＲＩを含む第２のＳＩＰメッセージを送信する送信ステップと
を備えることを特徴とする方法。
【請求項２１】
前記識別情報及び添付ファイルを含む第３のＳＩＰメッセージを前記マルチメディアゲートウェイ又は前記ユーザ機器から受信するステップと、
前記第２のＳＩＰメッセージで受信した識別情報と同一の、前記リストに含まれる識別情報を探索するステップと、
前記第３のＳＩＰメッセージで受信した前記添付ファイルを前記探索された識別情報と関連付けられた宛先に送信するステップと
を更に含むことを特徴とする請求項２０記載の方法。
【請求項２２】
ＩＭＳアプリケーションサーバを制御する方法であって、該ＩＭＳアプリケーションサーバは、ＩＭＳネットワークに接続され、かつ、ＩＭＳゲートウェイ機能及びデバイス検出機能を有するマルチメディアゲートウェイ、及び、前記マルチメディアゲートウェイと通信するように構成された無線ローカルエリアネットワークアクセスポイント又はフェムト基地局に接続されるように構成されたユーザ機器と通信するように構成され、
前記方法は、
前記マルチメディアゲートウェイ又は前記ユーザ機器に関する登録状態の変更が発生したことの前記ＩＭＳアプリケーションサーバへの通知を要求する第１のＳＩＰメッセージをコールセッション制御機能サーバに送信するステップと、
登録状態が変更された前記マルチメディアゲートウェイ又は前記ユーザ機器のＳＩＰ ＵＲＩ及び識別情報を通知する第２のＳＩＰメッセージを受信するステップであって、前記識別情報が前記マルチメディアゲートウェイを前記ユーザ機器と一意に関連付けるステップと、
前記第２のＳＩＰメッセージで受信した前記ＳＩＰ ＵＲＩ及び前記識別情報を互いに関連付けるリストを格納するステップと、
前記リスト中の同一の識別情報と関連付けられたＳＩＰ ＵＲＩを探索するステップと、
前記探索されたＳＩＰ ＵＲＩの１つを通知するＳＩＰメッセージを別の探索されたＳＩＰ ＵＲＩに対応する宛先に送信するステップと
を備えることを特徴とする方法。
【発明の詳細な説明】
【技術分野】
【０００１】
本発明は、フェムト基地局、マルチメディアゲートウェイ、ユーザ機器、ＩＭＳアプリケーションサーバ及びＩＭＳ（ＩＰマルチメディアサブシステム）ネットワークを介するユーザ機器とマルチメディアゲートウェイとの間の通信を可能にする制御方法に関する。
【背景技術】
【０００２】
ＩＭＳと呼ばれるネットワークアーキテクチャは、パケットドメインにおいてマルチメディアサービス及びセッションを処理するオープン標準として第３世代パートナーシッププロジェクト（３ＧＰＰ）により開発された。現在、ＩＭＳ標準に準拠する以下においてＩＭＳ端末と呼ばれる種々の通信端末及びデバイスが既知である。ＩＭＳ端末の一般的な一例は、ＩＭＳ機能を有する移動電話である。パーソナルコンピュータ（ＰＣ）又はパーソナルデジタルアシスタント（ＰＤＡ）等は、ＩＭＳ機能を備える場合にＩＭＳ端末としての役割を果たすことができる。ＩＭＳ端末は、例えばＩＭＳネットワークを介してビデオストリーミングサーバからビデオストリーミングを受信することによりマルチメディアサービスを提供できる。
【０００３】
しかし、以下において非ＩＭＳ端末と呼ばれるＩＭＳ未対応の多くの通信端末、すなわちＩＭＳ機能を有さない多くの通信端末が依然として存在する。特許文献１は、デスクトップＰＣ、ラップトップＰＣ及びＤＥＣＴを含むＰＳＴＮ（公衆交換電話網）に接続された電話等のＩＭＳ機能を有さない非ＩＭＳ端末がＩＭＳネットワークを介してサービスにアクセスできるようにする「ホームＩＭＳゲートウェイ」（ＨＩＧＡ）と呼ばれるマルチメディアゲートウェイを開示する。
【０００４】
特許文献１によると、ＨＩＧＡの場所は、少なくとも１つの非ＩＭＳ端末が接続されるプライベートネットワークにおいて特定される。ＨＩＧＡは、非ＩＭＳ端末とＩＭＳネットワークとの間で通信し易くするためのセッション開始プロトコル（ＳＩＰ）バックツーバックユーザエージェント（Ｂ２ＢＵＡ）を含む。ＨＩＧＡは、３ＧＰＰ ＴＳ２４．２２９及びＩＥＴＦ ＲＦＣ３２６１に従って実現されたＳＩＰゲートウェイを更に含む。ＳＩＰゲートウェイは、種々のクライアント端末シグナリングプロトコルとＩＭＳにより使用されるＳＩＰとの間の相互運用を可能にする。例えばＳＩＰゲートウェイは、ＩＳＤＮを用いたシグナリングプロトコルとＳＩＰとの間の変換を提供してもよい。従って、非ＩＭＳ端末はＳＩＰ機能を有しても有さなくてもよい。ＨＩＧＡは、「セットトップボックス」（ＳＴＢ）、「レジデンシャルゲートウェイ」（ＲＧｗ）及び種々のホームデバイス上で実現される。ＨＩＧＡは、配布されたコンテンツを表示するために使用され且つ例えばユーザが訪れている友人の家又はユーザが滞在してるホテルの部屋である外部領域に配置されるＴＶに対して、接続されたデスクトップＰＣに格納されたユーザの家族のホームムービー又は写真を含むホームコンテンツをＩＭＳネットワークを介して配布するために使用されてもよい。トリック再生のような配布されたコンテンツの制御は、ユーザの移動電話により実行されてもよい（すなわち、３ボックスモデル）。
【０００５】
近年、「フェムト基地局（フェムトＢＳ）」と呼ばれるホーム／宅内基地局は、特に一般的な基地局から離れた場所に配置されたリモート領域及び住宅における移動電話の制限された電力受信レベルに関する問題に対する解決策として提案される。フェムトＢＳは、マクロノードセルサイトをロードせずに最大ユーザデータ転送速度のホーム内の移動性を提供する。
【０００６】
フェムトＢＳは、ユーザ機器（ＵＥ）を使用して移動通信サービスを提供するために、ＨＩＧＡと共に配置されてもよい。
【０００７】
図１Ａは、ＨＩＧＡ及びフェムトＢＳが「フェムト顧客宅内機器（フェムトＣＰＥ）」と呼ばれる単一のデバイスに実現される状況を示す。
【０００８】
図１Ａにおいて、ユーザの住宅１０内にＨＩＧＡ１０１及びフェムトＢＳ１０２を含むフェムトＣＰＥ１００が存在する。ＨＩＧＡ１０１は、クライアントデバイス１１１及び１１２にＩＭＳ接続サービスを提供する。クライアントデバイスは、ＩＭＳ機能を有するクライアント装置又は有さないクライアント装置を含む。
【０００９】
フェムトＢＳは、住宅１０内でフェムトセル／アクセスポイント基地局を生成し且つフェムトセル内に配置されるＵＥに対してＲＮＣ（無線ネットワーク制御装置）１３１及びＳＧＳＮ／ＧＧＳＮ（サービングＧＰＲＳサポートノード／ゲートウェイＧＰＲＳサポートノード）１３２を介する移動通信ネットワークへのアクセス権を提供する基地局である。
【００１０】
ＵＥは、ＡＮＳＩ−１３６、ＧＳＭ（汎ヨーロッパデジタル移動通信システム）通信、ＧＰＲＳ（汎用パケット無線サービス）、ＥＤＧＥ（ＧＳＭ拡張向け高速データレート）、符号分割多元接続（ＣＤＭＡ）、広帯域符号分割多元接続（ＷＣＤＭＡ）、ＣＤＭＡ２０００、ＬＴＥ（Long Term Evolution）及びＵＭＴＳ（ユニバーサル移動通信システム）等の無線通信プロトコルに従って無線通信リンクを介して他のＵＥと通信するユーザ端末である。ＵＥは、移動通信ネットワークを介して通信できる移動電話であってもよい。ＲＮＣ１３１は、ブロードバンドアクセスネットワーク１４０を介してフェムトＢＳ１０２に接続される。ＳＧＳＮ／ＧＧＳＮ１３２は、ＲＮＣ１３１と接続し、データパケット及び制御信号を通信する。
【００１１】
ＩＭＳネットワーク１２０は、ＩＭＳアプリケーションサーバ（ＡＳ）１２１及びコールセッション制御機能（ＣＳＣＦ）１２２を含む。ＣＳＣＦ１２２は、ＳＩＰ通信において端末間に確立されたセッションを制御し且つある特定のサービスを開始するためにＡＳ１２１にアクセスするＳＩＰサーバである。ＣＳＣＦ１２２は、ブロードバンドアクセスネットワーク１４０を介してＨＩＧＡ１０１に接続される。ＣＳＣＦ１２２は、プロキシＣＳＣＦ（Ｐ−ＣＳＣＦ）、問合せＣＳＣＦ（Ｉ−ＣＳＣＦ）及びサービングＣＳＣＦ（Ｓ−ＣＳＣＦ）を含んでもよい。ＡＳ１２１は、種々のアプリケーションをクライアントデバイス１１１及び１１２に提供するサーバである。
【００１２】
図１Ａにおいて説明された用途を考慮すると、ＨＩＧＡ１０１とＵＥ１１３との間のローカル接続性は、例えばＩＥＥＥ８０２．１１ａ／ｂ／ｇ／ｎ（ＷｉＦｉ）、ＩＥＥＥ８０２．１５（Ｂｌｕｅｔｏｏｔｈ）、ＩＥＥＥ８０２．１６（ＷｉＭａｘ）又はＩｒＤＡ（赤外線データ協会）のいずれかのプロトコルに基づいて無線通信機能を使用して確立されてもよい。ＵＥ１１３は、ＨＩＧＡ１０１に接続する場合、例えばＵＰｎＰ及びＳＩＰプロトコルに従ってＨＩＧＡ１０１に接続されたクライアントデバイス１１１及び１１２を制御できてもよい。
【００１３】
しかし、ＵＥ１１３及びＨＩＧＡ１０１のいずれか一方がそのようなＩＰを用いた無線通信機能を有さない状況が存在する。その状況では、例えば、ＵＥがＷｉＦｉ機能を有さないか又はＨＩＧＡ１０１がＢｌｕｅｔｏｏｔｈ機能もＩｒＤＡ機能も有さない。また、移動電話の形態の多くのＵＥ１１３は、ＷｉＦｉ機能を有さない。そのような場合、ＵＥ１１３はＨＩＧＡ１０１にアクセスできず、ＨＩＧＡ１０１はＵＥ１１３の存在を認識できない。従って、ＨＩＧＡ１０１がＨＩＧＡ１０１とＵＥ１１３との間でＩＰを用いた無線通信機能を使用せずにＵＥ１１３の存在を認識できるようにする技術を提供する必要がある。
【００１４】
この問題を解決する１つの解決策は、図１Ｂに示すように、移動無線アクセスネットワークを介してＵＥ１１３から送信されたパケットデータを抽出するためにＲＮＣ及びＳＧＳＮ／ＧＧＳＮ機能２０１の一部をフェムトＢＳ１０２に提供することである。この場合、ＨＩＧＡ１０１は、ＵＥ１１３により送信及び受信されたＩＭＳメッセージを傍受できるため、ＨＩＧＡ１０１及びＵＥ１１３は互いに認識し且つ通信できる。しかし、この種のインストールにより、フェムトＣＰＥ１００の複雑さは増加し、図１Ａに示すインストールタイプに対するコストは増加する。
【００１５】
従って、本発明はフェムトＣＰＥ１００の複雑さを増加せずに上述の問題に対処することを意図する。
【００１６】
更にＵＥ１１３がＩＰを用いた無線通信機能を有する場合、以下のように、ＨＩＧＡはＵＥ１１３の存在を認識できない場合がある。
【００１７】
一般に、ＩＥＥＥ８０２．１１無線ＬＡＮアクセスポイント（ＷＬＡＮ−ＡＰ）は２つ以上の無線ローカルエリアネットワーク（ＷＬＡＮ）に対応できる。各ＷＬＡＮは、サービスセット識別子（ＳＳＩＤ）により識別され、異なるセキュリティ設定を有することができる。ユーザが１つのＷＬＡＮを選択するためにクライアントがＷＬＡＮのリストをユーザに提示できるように又はＳＳＩＤ及びそれに関連するセキュリティ設定が事前に設定される場合にクライアントが１つのＷＬＡＮに接続できるように、このＳＳＩＤはＷＬＡＮ−ＡＰによりブロードキャストされる。
【００１８】
ＷＬＡＮユーザを認証及び許可し且つＷＥＰ（Wired Equivalent Privacy）及びＷＰＡ（WiFi Protected Access）等のＷＬＡＮを介して送信されたデータを暗号化する種々の方法が存在する。ＳＳＩＤにより識別されたＷＬＡＮに接続されたユーザは、セキュリティ設定が異なる場合、別のＳＳＩＤにより識別された別のＷＬＡＮネットワークにアクセスできない。
【００１９】
ＦＯＮ（http://www.fon.com）は、ＦＯＮコミュニティの参加者が他のユーザにＷＬＡＮ−ＡＰを介してインターネットにアクセスさせるためにＷＬＡＮ−ＡＰをオープンするパブリックＷＬＡＮ−ＡＰサービスである。ＦＯＮ ＷＬＡＮ−ＡＰは、異なるＳＳＩＤにより区別される２つのＷＬＡＮに対応する。一方のＷＬＡＮは、セキュリティ設定の知識を有するホームユーザによってのみアクセス可能である。他方のＷＬＡＮは、公共利用のためにオープンされている。
【００２０】
３ＧＰＰ ＴＳ２３．２３４及びＴＳ３３．２３４は、ＷＬＡＮと電気通信網との間のインターワーキングに必要な要件を規定する。図２は、ＷＬＡＮ−ＡＰ１０３がホテルの部屋等の部屋に配置される展開例を示す。図２において、同様の図中符号が図１Ａに示した対応するユニットに対して使用される。
【００２１】
図２において、ＷＬＡＮ−ＡＰ１０３は、ＳＳＩＤにより区別された２つの異なるＷＬＡＮ（ＷＬＡＮ１（１０４）及びＷＬＡＮ２（１０５））に対応する。ＷＬＡＮ１（１０４）は、ホテルのスタッフメンバー等のオペレータが秘密鍵を事前設定するデバイスによってのみアクセス可能である。ＷＬＡＮ２（１０５）は、ホテルのゲストが自身のＰＣ又は移動電話等でアクセスしてもよいように緩和されたセキュリティ設定で公開される。この状況において、ＵＥ１１３は、異なるセキュリティ設定のためにＨＩＧＡ１０１及びＷＬＡＮ１（１０４）に接続されたＴＶ等のクライアントデバイス１１１に直接アクセスできない。
【００２２】
例えば、ＷＬＡＮ１（１０４）において送信されたデータはＷＥＰを使用して保護される。ＷＬＡＮ１（１０４）において、秘密鍵が生成され、ＨＩＧＡ１０１、並びにＷＬＡＮ１（１０４）に接続されたクライアントデバイス１１１及び１１２を含むデバイスに設定される。この鍵は、２４ビットの初期化ベクトル（ＩＶ）が鍵に付加された後に擬似乱数発生器（ＰＲＮＧ）に入力される。ＷＬＡＮ１（１０４）を介して送信されたデータは、ＰＲＮＧにより生成された乱数を使用してＸＯＲ演算により暗号化される。暗号化データはＩＶと共に送信される。受信機は、受信したデータを復号化するために秘密鍵及びＩＶを使用する。
【００２３】
秘密鍵は、ＷＬＡＮ１（１０４）を介して送信されることがないため、秘密鍵が別々に事前設定されるデバイスのみがＷＬＡＮ１（１０４）を介して互いに通信できる。
【００２４】
ＷＬＡＮ２（１０５）に対する秘密鍵及びＳＳＩＤ等のセキュリティ設定がＷＬＡＮ２（１０５）の複数のユーザにより共有されるため、ＵＥ１１３はＷＬＡＮ１（１０４）にアクセスできないが、ＷＬＡＮ２（１０５）にアクセスできる。ＷＬＡＮ２（１０５）に接続後、ＵＥ１１３は３ＧＰＰにより規定されたインターワーキングを使用してインターネットに対するセキュリティ保護された接続を確立するために電気通信オペレータの３ＧＰＰ ＡＡＡ／ＨＳＳ（認証、承認及び課金／ホーム加入者サーバ）と通信する。３ＧＰＰ ＡＡＡ／ＨＳＳ１３５は、ＩＳＩＭ又はＵＳＩＭに格納された共有秘密に基づいてＵＥ１１３を認証及び承認する。
【００２５】
認証が正常に完了した場合、ＩＰアドレスはＵＥ１１３に割り当てられ、ＵＥ１１３はＵＥ１１３に割り当てられた鍵を使用して暗号化されたデータをパケットデータゲートウェイ（ＰＤＧ）１３４に送信できる。ＰＤＧ１３４は、ＵＥ１１３からの受信データを復号化し、復号化データをＣＳＣＦ１２２に転送できる。他のユーザが送信されたデータを読めないように、ＰＤＧ１３４とＵＥ１１３との間にセキュリティ保護されたＩＰトンネル１４１が確立される。
【００２６】
従って、図２の状況において、ＷＬＡＮ−ＡＰ１０３は、ＨＩＧＡ１０１とＵＥ１１３との間の直接通信を提供できない。ＵＥ１１３はＨＩＧＡ１０１にアクセスできず、ＨＩＧＡ１０１はＵＥ１１３の存在を認識できない。
【００２７】
本発明は、通信システムの物理構造を大きく変更することなく、ＨＩＧＡ１０１がＵＥ１１３の存在を認識し且つＵＥ１１３がＩＭＳネットワーク１２０を介してＨＩＧＡ１０１と通信できるようにする技術を提供することを意図する。
【先行技術文献】
【特許文献】
【００２８】
【特許文献１】国際公開第２００６／０４５７０６号パンフレット
【発明の概要】
【００２９】
本発明の第１の態様によると、セルを生成し、ＩＭＳゲートウェイ機能及びデバイス検出機能（マルチメディアゲートウェイに接続可能なユーザ機器／クライアントデバイスを接続する）を有するマルチメディアゲートウェイと通信するように構成されたフェムト基地局が提供される。フェムト基地局は、前記フェムト基地局により生成されたセルに関連付けられたセル情報を無線ネットワーク制御装置から受信する受信手段と、セル情報を前記マルチメディアゲートウェイに送信する第１の送信手段と、セルに接続されたユーザ機器にセル情報を送信する第２の送信手段とを備える。いくつかの実施形態において、セル情報は、モバイル国コード、モバイルネットワークコード、ＵＭＴＳセルアイデンティティ及びローカルエリアコードを含む。
【００３０】
本発明の第２の態様によると、ＩＭＳゲートウェイ機能及びそれに接続されたデバイス検出機能を有し、セルを生成するように構成されたフェムト基地局と通信するように構成される宅内ネットワーク等のローカルエリアネットワークに位置付けられるようなマルチメディアゲートウェイが提供される。マルチメディアゲートウェイは、セルに関連付けられたセル情報を前記フェムト基地局から受信する第１の受信手段と、受信したセル情報を使用してセルを介してフェムト基地局に接続されたユーザ機器と前記マルチメディアゲートウェイとを一意に関連付ける識別情報を生成する生成手段と、識別情報を含むＳＩＰメッセージをＩＭＳネットワークを介してＩＭＳアプリケーションサーバに送信する送信手段とを備える。
【００３１】
本発明の第３の態様によると、ＩＭＳゲートウェイ機能及びデバイス検出機能を有するマルチメディアゲートウェイであり、前記マルチメディアゲートウェイに対する第１の無線ローカルエリアネットワーク及びユーザ機器に対する第２の無線ローカルエリアネットワークを生成するように構成された無線ローカルエリアネットワークアクセスポイントと通信するように構成されるマルチメディアゲートウェイが提供される。マルチメディアゲートウェイは、第１の無線ローカルエリアネットワークを介して前記無線ローカルエリアネットワークアクセスポイントを一意に識別するために使用される情報を前記無線ローカルエリアネットワークアクセスポイントから受信する第１の受信手段と、受信した情報を使用して前記マルチメディアゲートウェイをユーザ機器と一意に関連付ける識別情報を生成する生成手段と、識別情報を含むＳＩＰメッセージをＩＭＳネットワークを介してＩＭＳアプリケーションサーバに送信する送信手段とを備える。
【００３２】
いくつかの実施形態において、識別情報は、ＳＩＰメッセージのヘッダ部分に付加されるP-Access-Network-Infoである。
【００３３】
いくつかの実施形態において、前記マルチメディアゲートウェイの前記送信手段により送信されたＳＩＰメッセージはSUBSCRIBEメッセージである。
【００３４】
いくつかの実施形態において、前記マルチメディアゲートウェイの前記送信手段により送信されたＳＩＰメッセージは、前記マルチメディアゲートウェイに接続されたクライアントデバイスを制御するための制御情報を含むPUBLISHメッセージである。
【００３５】
いくつかの実施形態において、マルチメディアゲートウェイは、ユーザ機器に関するプレゼンス情報を通知するＳＩＰメッセージを受信する第２の受信手段を更に備える。
【００３６】
いくつかの実施形態において、マルチメディアゲートウェイは、ユーザ機器の連絡先アドレスを通知するＳＩＰメッセージを受信する第２の受信手段を更に備える。
【００３７】
本発明の第４の態様によると、セルを生成し、ＩＭＳゲートウェイ機能及びデバイス検出機能を有するマルチメディアゲートウェイと通信するように構成されたフェムト基地局に接続されるように構成されたユーザ機器が提供される。ユーザ機器は、前記フェムト基地局からセルに関連付けられたセル情報を受信する受信手段と、受信したセル情報を使用して前記マルチメディアゲートウェイを前記ユーザ機器と一意に関連付ける識別情報を生成する生成手段と、識別情報を含むＳＩＰメッセージをＩＭＳネットワークを介してＩＭＳアプリケーションサーバに送信する送信手段とを備える。
【００３８】
本発明の第５の態様によると、ユーザ機器であって、ＩＭＳゲートウェイ機能及びデバイス検出機能を有するマルチメディアゲートウェイに対する第１の無線ローカルエリアネットワークと前記ユーザ機器に対する第２の無線ローカルエリアネットワークとを生成するように構成された無線ローカルエリアネットワークアクセスポイントに接続されるユーザ機器が提供される。前記ユーザ機器は、第２の無線ローカルエリアネットワークを介して無線ローカルエリアネットワークアクセスポイントを一意に識別するために使用される情報を受信する受信手段と、受信した情報を使用して前記マルチメディアゲートウェイを前記ユーザ機器と一意に関連付ける識別情報を生成する生成手段と、識別情報を含むＳＩＰメッセージをＩＭＳネットワークを介してＩＭＳアプリケーションサーバに送信する送信手段とを備える。
【００３９】
いくつかの実施形態において、識別情報は、ＳＩＰメッセージのヘッダ部分に付加されるP-Access-Network-Infoである。
【００４０】
いくつかの実施形態において、ユーザ機器の送信手段により送信されたＳＩＰメッセージはSUBSCRIBEメッセージである。
【００４１】
いくつかの実施形態において、ユーザ機器の送信手段により送信されたＳＩＰメッセージは、前記ユーザ機器に関するプレゼンス情報を含むPUBLISHメッセージである。
【００４２】
いくつかの実施形態において、ユーザ機器の受信手段は、前記マルチメディアゲートウェイに接続されたクライアントデバイスを制御するための制御情報を通知するＳＩＰメッセージを更に受信する。
【００４３】
いくつかの実施形態において、ユーザ機器の受信手段は、マルチメディアゲートウェイの連絡先アドレスを通知するＳＩＰメッセージを更に受信する。
【００４４】
本発明の第６の態様によると、ＩＭＳネットワークに接続されるように構成され、かつ、ＩＭＳゲートウェイ機能及びデバイス検出機能を有するマルチメディアゲートウェイ、及び、マルチメディアゲートウェイと通信するように構成された無線ローカルエリアネットワークアクセスポイント又はフェムト基地局に接続されるように構成されたユーザ機器と通信するように構成されたＩＭＳアプリケーションサーバが提供される。ＩＭＳアプリケーションサーバは、マルチメディアゲートウェイ又はユーザ機器から送信され、マルチメディアゲートウェイをユーザ機器と一意に関連付ける識別情報を含む第１のＳＩＰメッセージを受信する受信手段と、第１のＳＩＰメッセージの発信元ＳＩＰ ＵＲＩと関連付けられた受信した識別情報のリストを格納する記憶手段と、同一の識別情報を有するＳＩＰ ＵＲＩのグループを見つけるためにリストを探索する探索手段と、探索されたグループ中の各ＳＩＰ ＵＲＩ宛に、該宛先のＳＩＰ ＵＲＩと対になる別のＳＩＰ ＵＲＩを含む第２のＳＩＰメッセージを送信する送信手段とを備える。
【００４５】
いくつかの実施形態において、ＩＭＳアプリケーションサーバは、識別情報及び添付ファイルを含む第３のＳＩＰメッセージをマルチメディアゲートウェイ又はユーザ機器から受信する第２の受信手段を更に備え、前記探索手段は、第２のＳＩＰメッセージで受信した識別情報と同一の、リストに含まれる識別情報を更に探索し、前記送信手段は、探索された識別情報と関連付けられた宛先に対して第３のＳＩＰメッセージで受信した添付ファイルを更に送信する。
【００４６】
いくつかの実施形態において、識別情報は、ＳＩＰメッセージのヘッダ部分に付加されるP-Access-Network-Infoである。
【００４７】
いくつかの実施形態において、添付ファイルはユーザ機器のプレゼンス情報である。
【００４８】
いくつかの実施形態において、添付ファイルはマルチメディアゲートウェイに接続されたクライアントデバイスを制御するための制御情報である。
【００４９】
本発明の第７の態様によると、ＩＭＳネットワークに接続されるように構成され、かつ、ＩＭＳゲートウェイ機能及びデバイス検出機能を有するマルチメディアゲートウェイ、及び、マルチメディアゲートウェイと通信するように構成された無線ローカルエリアネットワークアクセスポイント又はフェムト基地局に接続されるように構成されたユーザ機器と通信するように構成されたＩＭＳアプリケーションサーバが提供される。ＩＭＳアプリケーションサーバは、マルチメディアゲートウェイ又はユーザ機器に関する登録状態の変更が発生したことのＩＭＳアプリケーションサーバへの通知を要求する第１のＳＩＰメッセージをコールセッション制御機能サーバに送信する送信手段と、登録状態が変更されたマルチメディアゲートウェイ又はユーザ機器のＳＩＰ ＵＲＩ及び識別情報を通知する第２のＳＩＰメッセージを受信する受信手段であって、識別情報がマルチメディアゲートウェイをユーザ機器と一意に関連付ける受信手段と、第２のＳＩＰメッセージで受信したＳＩＰ ＵＲＩ及び識別情報を互いに関連付けたリストを格納する記憶手段と、前記リスト中の同一の識別情報と関連付けられたＳＩＰ ＵＲＩを探索する探索手段と、探索されたＳＩＰ ＵＲＩの１つを通知するＳＩＰメッセージを別の探索されたＳＩＰ ＵＲＩに対応する宛先に送信する送信手段とを備える。
【００５０】
本発明の第８の態様によると、セルを生成し、ＩＭＳゲートウェイ機能及びデバイス検出機能を有するマルチメディアゲートウェイと通信するように構成されたフェムト基地局を制御する方法が提供される。方法は、前記フェムト基地局により生成されたセルに関連付けられたセル情報を無線ネットワーク制御装置から受信するステップと、前記マルチメディアゲートウェイにセル情報を送信するステップと、セルに接続されたユーザ機器にセル情報を送信するステップとから成る。
【００５１】
本発明の第９の態様によると、ＩＭＳゲートウェイ機能及びそれに接続されたデバイス検出機能を有し、セルを生成するように構成されたフェムト基地局と通信するように構成されたマルチメディアゲートウェイを制御する方法が提供される。方法は、セルに関連付けられたセル情報を前記フェムト基地局から受信するステップと、受信したセル情報を使用してセルを介してフェムト基地局に接続されたユーザ機器と前記マルチメディアゲートウェイとを一意に関連付ける識別情報を生成するステップと、識別情報を含むＳＩＰメッセージをＩＭＳネットワークを介してＩＭＳアプリケーションサーバに送信するステップとから成る。
【００５２】
本発明の第１０の態様によると、ＩＭＳゲートウェイ機能及びデバイス検出機能を有するマルチメディアゲートウェイであり、前記マルチメディアゲートウェイに対する第１の無線ローカルエリアネットワーク及びユーザ機器に対する第２の無線ローカルエリアネットワークを生成するように構成された無線ローカルエリアネットワークアクセスポイントと通信するように構成される前記マルチメディアゲートウェイを制御する方法が提供される。方法は、第１の無線ローカルエリアネットワークを介して前記無線ローカルエリアネットワークアクセスポイントを一意に識別するために使用された情報を前記無線ローカルエリアネットワークアクセスポイントから受信するステップと、受信した情報を使用して前記マルチメディアゲートウェイをユーザ機器と一意に関連付ける識別情報を生成するステップと、識別情報（５００）を含むＳＩＰメッセージをＩＭＳネットワークを介してＩＭＳアプリケーションサーバに送信するステップとから成る。
【００５３】
いくつかの実施形態において、方法は、ユーザ機器に関するプレゼンス情報を通知するＳＩＰメッセージを受信するステップを更に含む。
【００５４】
いくつかの実施形態において、方法は、ユーザ機器の連絡先アドレスを通知するＳＩＰメッセージを受信するステップを更に含む。
【００５５】
本発明の第１１の態様によると、セルを生成し且つＩＭＳゲートウェイ機能及びデバイス検出機能を有するマルチメディアゲートウェイと通信するように構成されたフェムト基地局に接続されるように構成されたユーザ機器を制御する方法が提供される。方法は、セルに関連付けられたセル情報を前記フェムト基地局から受信するステップと、受信したセル情報を使用して前記マルチメディアゲートウェイを前記ユーザ機器と一意に関連付ける識別情報を生成するステップと、識別情報を含むＳＩＰメッセージをＩＭＳネットワークを介してＩＭＳアプリケーションサーバに送信するステップとから成る。
【００５６】
本発明の第１２の態様によると、ＩＭＳゲートウェイ機能及びデバイス検出機能を有するマルチメディアゲートウェイに対する第１の無線ローカルエリアネットワーク、並びにユーザ機器に対する第２の無線ローカルエリアネットワークを生成するように構成された無線ローカルエリアネットワークアクセスポイントに接続される前記ユーザ機器を制御する方法が提供される。方法は、第２の無線ローカルエリアネットワークを介して無線ローカルエリアネットワークアクセスポイントを一意に識別するために使用された情報を受信するステップと、受信した情報を使用して前記マルチメディアゲートウェイを前記ユーザ機器と一意に関連付ける識別情報を生成するステップと、識別情報を含むＳＩＰメッセージをＩＭＳネットワークを介してＩＭＳアプリケーションサーバに送信するステップとから成る。
【００５７】
いくつかの実施形態において、ユーザ機器を制御する方法は、前記マルチメディアゲートウェイに接続されたクライアントデバイスを制御するための制御情報を通知するＳＩＰメッセージを受信するステップを更に含む。
【００５８】
いくつかの実施形態において、ユーザ機器を制御する方法は、マルチメディアゲートウェイの連絡先アドレスを通知するＳＩＰメッセージを受信するステップを更に含む。
【００５９】
本発明の第１３の態様によると、ＩＭＳネットワークに接続されるように構成され、且つＩＭＳゲートウェイ機能及びデバイス検出機能を有するマルチメディアゲートウェイ、並びにマルチメディアゲートウェイと通信するように構成された無線ローカルエリアネットワークアクセスポイント（１０３）又はフェムト基地局に接続されるように構成されたユーザ機器と通信するように構成されたＩＭＳアプリケーションサーバを制御する方法が提供される。方法は、マルチメディアゲートウェイ又はユーザ機器から送信され且つマルチメディアゲートウェイをユーザ機器と一意に関連付ける識別情報を含む第１のＳＩＰメッセージを受信するステップと、第１のＳＩＰメッセージの発信元ＳＩＰ ＵＲＩと関連付けられた受信した識別情報のリストを格納するステップと、同一の識別情報を有するＳＩＰ ＵＲＩのグループを見つけるためにリストを探索するステップと、探索されたグループ中の各ＳＩＰ ＵＲＩ宛に、該宛先のＳＩＰ ＵＲＩと対になる別のＳＩＰ ＵＲＩを含む第２のＳＩＰメッセージを送信するステップとから成る。
【００６０】
いくつかの実施形態において、ＩＭＳアプリケーションサーバを制御する方法は、識別情報及び添付ファイルを含む第３のＳＩＰメッセージをマルチメディアゲートウェイ又はユーザ機器から受信するステップと、第２のＳＩＰメッセージで受信した識別情報と同一の、リストに含まれる識別情報を探索するステップと、第３のＳＩＰメッセージで受信した添付ファイルを探索された識別情報と関連付けられた宛先に送信するステップとを更に含む。
【００６１】
本発明の第１４の態様によると、ＩＭＳネットワークに接続され、且つＩＭＳゲートウェイ機能及びデバイス検出機能を有するマルチメディアゲートウェイ、及び、マルチメディアゲートウェイと通信するように構成された無線ローカルエリアネットワークアクセスポイント又はフェムト基地局に接続されるように構成されたユーザ機器と通信するように構成されたＩＭＳアプリケーションサーバを制御する方法が提供される。方法は、マルチメディアゲートウェイ又はユーザ機器に関する登録状態の変更が発生したことのＩＭＳアプリケーションサーバへの通知を要求する第１のＳＩＰメッセージをコールセッション制御機能サーバに送信するステップと、登録状態が変更されたマルチメディアゲートウェイ又はユーザ機器のＳＩＰ ＵＲＩ及び識別情報を通知する第２のＳＩＰメッセージを受信するステップであって、識別情報がマルチメディアゲートウェイをユーザ機器と一意に関連付けるステップと、第２のＳＩＰメッセージで受信したＳＩＰ ＵＲＩ及び識別情報を互いに関連付けるリスト格納するステップと、リスト中の同一の識別情報と関連付けられたＳＩＰ ＵＲＩを探索するステップと、探索されたＳＩＰ ＵＲＩの１つを通知するＳＩＰメッセージを別の探索されたＳＩＰ ＵＲＩに対応する宛先に送信するステップとから成る。
【図面の簡単な説明】
【００６２】
【図１Ａ】本発明の一実施形態に従ってＨＩＧＡ及びフェムトＢＳが「フェムト顧客宅内機器（フェムトＣＰＥ）」と呼ばれる１つのデバイスに実現される状況を示す図である。
【図１Ｂ】ＨＩＧＡ及びフェムトＢＳがフェムトＣＰＥに実現され、フェムトＢＳがＲＮＣ及びＳＧＳＮ／ＧＧＳＮ機能の一部を含む状況を示す図である。
【図２】ＨＩＧＡが１つの無線ＬＡＮを使用し、ＵＥが別の無線ＬＡＮを使用する状況を示す図である。
【図３Ａ】本発明の一実施形態に係る例示的なフェムトＣＰＥ１００を示す図である。
【図３Ｂ】本発明の一実施形態に係る例示的なユーザ機器（ＵＥ）１１３を示す図である。
【図３Ｃ】本発明の一実施形態に係る例示的なＩＭＳネットワーク１２０を示す図である。
【図３Ｄ】本発明の一実施形態に係る例示的なＨＩＧＡ１０１及びＷＬＡＮ−ＡＰ１０３を示す図である。
【図４】本発明に係るフェムトＣＰＥ１００のインストールの一例を示すフローチャートである。
【図５】本発明の一実施形態に係るP-Access-Network-Infoの一例を示す図である。
【図６】本発明の一実施形態に従ってＵＥ１１３においてP-Access-Network-Infoを生成する例示的な手順を示すフローチャートである。
【図７】ＨＩＧＡ１０１が開始（又は再開）され、フェムトＢＳ１０２により生成されたフェムトセルに新たに入るＵＥ１１３を見つける手順を示す例示的なシーケンス図である。
【図８】本発明の一実施形態に係るリストの一例を示す図である。
【図９】ＨＩＧＡ１０１がフェムトＢＳ１０２により生成されたフェムトセルに新たに入るＵＥ１１３を見つける手順を示す別の例示的なシーケンス図である。
【図１０】本発明の一実施形態に係る通知リストの一例を示す図である。
【図１１】実施形態に係る「登録情報文書＃１」の一例を示す図である。
【図１２】ＨＩＧＡ１０１がフェムトＢＳ１０２により生成されたフェムトセルに新たに入るＵＥ１１３を見つける手順を示す更なる例示的なシーケンス図である。
【図１３】本発明の一実施形態に係るプレゼンステーブル１３００の一例を示す図である。
【図１４】本発明の一実施形態に係るプレゼンステーブル１３００に格納されたＨＩＧＡ１０１のプレゼンス情報の一例を示す図である。
【図１５】本発明の一実施形態に係るプレゼンステーブル１３００に格納されたＵＥ１１１のプレゼンス情報の一例を示す図である。
【図１６】ＨＩＧＡ１０１が開始（又は再開）され且つＷＬＡＮ−ＡＰ１０３により生成されたＷＬＡＮ２に新たに接続するＵＥ１１３を見つける手順を示す例示的なシーケンス図である。
【発明を実施するための形態】
【００６３】
本発明の実施形態について、添付の図面を参照して説明する。以下に説明する各実施形態は、一般的な概念からより詳細な概念までの種々の概念を理解するのに有用である。
【００６４】
尚、本発明の技術範囲は請求の範囲により規定され、以下に説明する各実施形態により限定されない。更に、実施形態で説明する特徴の全ての組合せが必ずしも本発明に不可欠なものであるとは限らない。
【００６５】
本発明の実施形態に係るＨＩＧＡ１０１及びフェムトＢＳ１０２の室内へのインストールは、図１Ａと同様である。図３Ａは、本発明の実施形態に係る例示的なフェムトＣＰＥ１００を示す。例示的なフェムトＣＰＥ１００は、ＨＩＧＡ１０１及びフェムトＢＳ１０２を含む。
【００６６】
ＨＩＧＡ１０１は、少なくともＩＭＳ加入者識別モジュールアプリケーション（ＩＳＩＭ）３０１、デバイスＤＢ３０２、ＳＩＰ ＵＡ／ＵＡプロキシユニット３０３、Ｂ２ＢＵＡ３０４、通信Ｉ／Ｆ３０５及び制御／処理ユニット３０６を含む。
【００６７】
ＩＳＩＭ３０１は、単一のＩＭＳプライベートアイデンティティ及び複数ある可能性のあるＩＭＳパブリックアイデンティティ（ＩＭＰＵ）のうちの少なくとも１つを格納する。１つのＩＭＰＵは、ＨＩＧＡ１０１が入力ＩＭＳメッセージをルーティングし易くするためにフェムトＢＳ１０２に割り当てられてもよい。
【００６８】
デバイスＤＢ３０２は、デバイス毎に制御ＵＲＩを含むクライアントデバイス１１１及び１１２のリストを格納する。制御ＵＲＩは、ＵＰｎＰ発見手順においてクライアントデバイスから取得され且つデバイスＤＢ３０２に格納されてもよい。
【００６９】
ＳＩＰ ＵＡ／ＵＡプロキシユニット３０３は、ＩＭＳ機能を有さない非ＳＩＰクライアントデバイスの通信プロトコル（例えば、ＨＴＴＰ）をＳＩＰプロトコルに変換することによりその非ＳＩＰクライアントデバイスをＩＭＳネットワーク１２０に接続する。Ｂ２ＢＵＡ３０４は、ＩＭＳ機能を有さないＳＩＰクライアントデバイスをＩＭＳネットワーク１２０に接続する。通信Ｉ／Ｆ３０５は、フェムトＢＳ１０２と通信するためのインタフェースである。
【００７０】
制御／処理ユニット３０６は、ＳＩＰメッセージ生成及びＵＰｎＰデバイス発見機能を含むＨＩＧＡ１０１の動作を制御する。制御／処理ユニット３０６はブロードバンドアクセスネットワーク１４０に接続され、ブロードバンドアクセスネットワーク１４０はＳＩＰメッセージを含む情報を送受信するためにＣＳＣＦ１２２に接続される。フェムトＢＳ１０２は、少なくとも通信Ｉ／Ｆ３１１、制御／処理ユニット３１２及びトランシーバ３１３を含む。通信Ｉ／Ｆ３１１は、ＨＩＧＡ１０１と通信するためのインタフェースである。制御／処理ユニット３１２は、フェムトＢＳ１０２の全体の処理を制御し、ＲＮＣ１３１に接続されるブロードバンドアクセスネットワーク１４０に接続される。フェムトＢＳ１０２は、パケットトラフィックチャネル及び制御チャネルを処理し且つ制御／処理ユニット３１２により制御されるトランシーバ３１３を更に含む。トランシーバ３１３は、アンテナ３１４を使用してトラフィックチャネル又は制御チャネルを介してＵＥ１１３に対して情報を送受信する。
【００７１】
図３Ｂは、本発明の実施形態に係る例示的なユーザ機器（ＵＥ）１１３を示す。例示的なＵＥ１１３は、トランシーバ３２１及び処理ユニット３２２を含む。トランシーバ３２１は、トラフィックチャネル又は制御チャネルを介してＳＩＰメッセージを含む情報をフェムトＢＳ１０２に対して送受信する。処理ユニット３２２は、フェムトＢＳ１０２を介して通信するのに必要な処理を実行する。処理ユニット３２２は、本発明の実施形態に従ってフェムトＢＳ１０２から受信したセル情報に基づいてＳＩＰメッセージ及びP-Access-Network-Infoを生成する。
【００７２】
図３Ｃは、本発明の実施形態に係る例示的なＩＭＳネットワーク１２０を示す。ＩＭＳネットワーク１２０は、ＩＭＳアプリケーションサーバ（ＡＳ）１２１及びコールセッション制御機能（ＣＳＣＦ）１２２を含む。ＣＳＣＦ１２２は、少なくとも通信ユニット３３１、処理ユニット３３２及びデータベース３３３を含む。通信ユニット３３１は、ＨＩＧＡ１０１、ＳＧＳＮ／ＧＧＳＮ１３２又はＡＳ１２１からＳＩＰメッセージを受信し、ＨＩＧＡ１０１、ＳＧＳＮ／ＧＧＳＮ１３２又はＡＳ１２１にＳＩＰメッセージを送信する。処理ユニット３３２は、本発明の実施形態に従って、通信ユニット３３１及びデータベース３３３を制御し且つ受信したＳＩＰメッセージの処理を実行する。データベース３３３は図１０の通知リスト１０００を含む情報を格納する。
【００７３】
ＡＳ１２１は、少なくとも通信ユニット３４１、処理ユニット３４２及びデータベース３４３を含む。通信ユニット３４１は、ＣＳＣＦ１２２からＳＩＰメッセージを受信し、ＣＳＣＦ１２２にＳＩＰメッセージを送信する。処理ユニット３４２は、本発明の実施形態に従って、通信ユニット３４１及びデータベース３４３を制御し且つ受信したＳＩＰメッセージの処理を実行する。処理ユニット３４２は、ＨＩＧＡ１０１及びＵＥ１１３に送信されるＳＩＰメッセージを更に生成する。データベース３４３は、図８のリスト８００及び図１３のプレゼンステーブル１３００を含む情報を格納する。
【００７４】
図３Ａは、本発明に係るフェムトＣＰＥ１００のインストールの単なる一例を示す。しかし、フェムトＣＰＥ１００の機能は種々の方法で実現されてもよく、例えば、フェムトＢＳ機能はソフトウェアアーキテクチャを使用してＨＩＧＡ１０１に追加されてもよい。
【００７５】
図４は、本発明の実施形態に従ってＨＩＧＡ１０１においてP-Access-Network-Infoを生成する例示的な手順を示す。本実施形態において、P-Access-Network-InfoはＨＩＧＡ１０１をＵＥ１１３と関連付けるために利用される。
【００７６】
ステップＳ４０１において、ＲＮＣ１３１はセル情報によりフェムトＢＳ１０２を構成する。セル情報は、「モバイル国コード」（ＭＣＣ）、「モバイルネットワークコード」（ＭＮＣ）、並びに「ＵＭＴＳセルアイデンティティ」（Ｃｅｌｌ−ＩＤ）及び「ローカルエリアコード」（ＬＡＣ）を含んでもよい。
【００７７】
ＭＣＣ、ＭＮＣ及びＵＭＴＳセルアイデンティティは、ＲＲＣシステム情報の一部である。更に詳細には、ＭＣＣ及びＭＮＣはＭＩＢに属し、ＬＡＣはＳＩＢ−１に属し、ＵＭＴＳセルアイデンティティはＳＩＢ−３に属する。これらは、ＮＢＡＰメッセージ「System Information Update（システム情報更新）」を使用してＲＮＣ１３１からフェムトＢＳ１０２に配布される。
【００７８】
ステップＳ４０２において、フェムトＢＳ１０２は、受信したＮＢＡＰメッセージからＭＣＣ、ＭＮＣ、ＬＡＣ及びＣｅｌｌ−ＩＤを抽出する。ＭＣＣ、ＭＮＣ及びＬＡＣは、格納するためにＳＩＭカードを使用することによりフェムトＢＳ１０２に事前に提供されていてもよい。フェムトＢＳ１０２は、ＳＩＭカードからＭＣＣ、ＭＮＣ及びＬＡＣを読み出し、ＨＩＧＡ１０１及びＵＥ１１３に提供してもよい。更にステップＳ４０２において、フェムトＢＳ１０２は、通信Ｉ／Ｆ３０５及び３１１を介してＨＩＧＡ１０１にセル情報を転送する。
【００７９】
ステップＳ４０３において、ＨＩＧＡ１０１はP-Access-Network-Infoを生成する。P-Access-Network-Infoは、ＳＩＰメッセージに含まれたヘッダ情報である。ステップＳ４０４において、ＨＩＧＡ１０１がＩＭＳメッセージを送信した場合、生成されたP-Access-Network-Infoをそのヘッダに含む。
【００８０】
図５は、本発明の実施形態に係るP-Access-Network-Infoの一例を示す図である。図５に示すように、P-Access-Network-Info５００は、access-type５０１及びaccess-info５０２の２つのフィールドに分割される。access-typeフィールド５０１は、ＩＭＳネットワーク１２０に接続される装置により使用された無線アクセス技術の種類を示す。
【００８１】
access-typeフィールド５０１は、使用中のアクセス技術に適切であるように、「3GPP-GERAN」、「3GPP-UTRAN-FDD」、「3GPP-UTRAN-TDD」、「3GPP2-1X」、「3GPP2-1X-HRPD」、「3GPP2-UMB」、「IEEE-802.1」、「IEEE-802.11a」、「IEEE-802.11b」、「IEEE-802.11g」、「ADSL」、「ADSL2」、「ADSL2+」、「RADSL」、「SDSL」、「HDSL」、「HDSL2」、「G.SHDSL」、「VDSL」、「IDSL」又は「DOCSIS」のうちのいずれか１つに設定される。ＡＳ１２１は、access-typeに従ってサービスをカスタマイズしてもよい。本実施形態において、access-typeフィールド５０１が「3GPP-UTRAN-FDD」に設定される例を一例として説明する。
【００８２】
図５において、access-infoフィールド５０２はセルのＩＤを示す。access-info５０２のデータは、access-typeフィールド５０１に設定された使用中のアクセス技術に対応する。access-typeフィールド５０１は「3GPP-UTRAN-FDD」に設定され、「utran-cell-id-3gpp」パラメータはＭＣＣ、ＭＮＣ、ＬＡＣ（３ＧＰＰ ＴＳ２３．００３において説明される）及びＣｅｌｌ−ＩＤ（３ＧＰＰ ＴＳ２５．３３１において説明される）の連結に設定される。最上位ビットから開始すると、ＭＣＣ（３桁）、ＭＮＣ（ＭＣＣ値に依存して２桁又は３桁）、ＬＡＣ（完全１６進法表現を使用する１６ビットの固定長コード）及びＵＭＴＳセルアイデンティティ（完全１６進法表現を使用する２８ビットの固定長コード）である。
【００８３】
一対のＭＣＣ及びＭＮＣはＰＬＭＮを識別し、Ｃｅｌｌ−ＩＤはＰＬＭＮ内で一意である。従って、ＭＣＣ、ＭＮＣ及びＣｅｌｌ−ＩＤの組合せは、特定のアクセスタイプに対する無線セルを識別できる。
【００８４】
ＨＩＧＡ１０１がＳＩＰメッセージを送信する場合、ＳＩＰメッセージはＡＳ１２１にルーティング又はフォークされる。例えばＨＩＧＡ１０１はREGISTERメッセージを送信し、ＡＳ１２１は登録イベントパッケージを使用してヘッダ値を取得してもよい。登録イベントパッケージに関する更なる詳細については、登録のためのＲＦＣ３６８０ＳＩＰイベントパッケージにおいて説明する。ＨＩＧＡ１０１が「SUBSCRIBE」、「NOTIFY」、「PUBLISH」、「MESSAGE」及び「INVITE」等の他の種類のＳＩＰメッセージを送信する場合、それらの要求ＵＲＩはＡＳ１２１に直接配布されるようにＡＳ１２１を指し示してもよい。ＨＩＧＡ１０１が他の種類のＳＩＰメッセージを送信しない場合、それらのＳＩＰメッセージは、ＨＩＧＡ１０１又はＵＥ１１３である送信側の初期フィルタ基準設定に従ってＣＳＣＦ１２２においてＡＳ１２１にフォーク又はルーティングされる。
【００８５】
図６は、本発明の実施形態に従ってＵＥ１１３においてP-Access-Network-Infoを生成する例示的な手順を示す。
【００８６】
ステップＳ６０１において、フェムトＢＳはＭＣＣ、ＭＮＣ、ＬＡＣ及びＣｅｌｌ−ＩＤを含むセル情報をＢＣＣＨ論理チャネルでブロードキャストする。ＵＥがフェムトセルに入る場合、ステップＳ６０２において、ＵＥはＢＣＣＨ論理チャネルからセル情報を抽出する。
【００８７】
ステップＳ６０３において、ＵＥ１１３がＩＭＳメッセージを送信する場合、ＵＥ１１３はフェムトＢＳ１０２から受信したセル情報に基づいてP-Access-Network-Infoを生成する。生成されたP-Access-Network-Infoは、図５に示すようにＨＩＧＡ１０１により生成されたP-Access-Network-Infoのヘッダと同一である。
【００８８】
図７は、ＨＩＧＡ１０１が開始（又は再開）され且つフェムトＢＳ１０２により生成されたフェムトセルに新たに入るＵＥ１１３を見つける手順の一例を示すシーケンス図である。この場合、ＨＩＧＡ１０１はサービスプロバイダのＡＳ１２１に加入する。ＵＥ１１３もサービスプロバイダのＡＳ１２１に加入する場合、ＨＩＧＡ１０１は通知を受信する。図７に係る状況において、クライアントデバイスはＨＩＧＡに接続されたＴＶである。ＵＥ１１３、ＨＩＧＡ１０１、ＣＳＣＦ１２２及びＡＳ１２１のそれぞれに割り当てられたＳＩＰ ＵＲＩは以下の通りである。
【００８９】
ＵＥ１１３：sip:bob@operator.com
ＨＩＧＡ１０１：sip:room123.Femto@operator.com
ＣＳＣＦ１２２：sip:cscf.operator.com
ＡＳ１２１：sip:service@findservice.com
【００９０】
「Bob」はＵＥ１１３のユーザであり、ＵＥ１１３は移動電話である。「Findservice.com」は、本発明に従ってペアリングサービスを提供するサービスプロバイダである。Bobは、サインアップし、ＳＩＰ ＵＲＩであるsip:bob@operator.comを受信した。ＨＩＧＡもサインアップし、ＳＩＰ ＵＲＩであるsip:service@findservice.comを受信した。サービスプロバイダのＡＳ１２１は、ＵＥ１１３及びＨＩＧＡ１０１のＳＩＰ ＵＲＩを含む加入情報を含む。
【００９１】
図７において、点線は直前のＳＩＰ要求に対応するＳＩＰプロトコルに従う「200 OK」応答を示す。
【００９２】
ステップＳ７０１において、ＨＩＧＡが開始又は再開されると、ＲＮＣ１３１はＭＣＣ、ＭＮＣ、ＬＡＣ及びＵＭＴＳセルアイデンティティを含むセル情報をフェムトＢＳ１０２に送信する。ステップＳ７０２において、フェムトＢＳ１０２は受信したセル情報をＨＩＧＡ１０１に提供し、ＨＩＧＡ１０１はP-Access-Network-Info（ＰＡＮＩ）５００を生成する。
【００９３】
ステップＳ７０３において、ＨＩＧＡ１０１は、以下のREGISTERメッセージをＣＳＣＦ１２２に送信することによりＩＭＳネットワーク１２０に登録される。本実施形態の説明に必要なREGISTERメッセージのヘッダ部分の一例を以下のように示す。ヘッダに含まれるべき他の部分は対応するＲＦＣ及び３ＧＰＰの規格に対応するため、本実施形態において、それらの説明は省略する。
【００９４】
REGISTER sip:operator.com SIP/2.0
To: sip:room123.femto@operator.com
Contact: 220.110.162.34
【００９５】
ステップＳ７０４において、ＨＩＧＡ１０１は、P-Access-Network-Infoヘッダを含むSUBSCRIBEメッセージをＣＳＣＦ１２２を介してＡＳ１２１に送信することによりサービスプロバイダと契約する。本実施形態の説明に必要なSUBSCRIBEメッセージのヘッダ部分の一例を以下に示す。ヘッダに含まれるべき他の部分は対応するＲＦＣ及び３ＧＰＰの規格に対応するため、本実施形態において、それらの説明は省略する。
【００９６】
SUBSCRIBE sip:service@findservice.com SIP/2.0
P-Access-Network-Info: xxx
P-Asserted-Identity:
sip:room123.femto@operator.com
（P-Asserted-Identityは、ＳＩＰメッセージの送信者を示し、ＣＳＣＦ１２２により添付される。）
【００９７】
ステップＳ７０５において、ＡＳ１２１は、受信したSUBSCRIBEメッセージからP-Access-Network-Info５００及びＨＩＧＡ１０１のＩＭＰＵ（ＳＩＰ ＵＲＩ）を抽出する。ＡＳ１２１は、ＩＭＰＵと関連付けられたP-Access-Network-Infoのリストを有し、抽出した情報によりリストを更新する。
【００９８】
図８は、本発明の実施形態に係るリストを示す。リスト８００は、ＩＭＰＵ８０１及びP-Access-Network-Info８０２を含む。ＩＭＰＵ８０１は、サービスプロバイダと加入者との間の同意に基づいて事前に提供される。本実施形態において、ＨＩＧＡ１０１がサービスプロバイダfindservice.comと既に契約を結んでいるため、ＨＩＧＡ１０１のＩＭＰＵはリスト８００に格納される。ステップＳ７０５において、ＡＳ１２１はSUBSCRIBEメッセージを受信するとP-Access-Network-Info８０２を更新する。本実施形態において、ＡＳ１２１は、「xxx」をP-Access-Network-Infoとして受信し、受信した値でP-Access-Network-Info８０２を更新する。
【００９９】
ＡＳ１２１がリスト８００を更新した場合、ＡＳ１２１は現在更新されたのと同一のP-Access-Network-Info８０２を有するエントリを見つけるためにリスト８００を探索する。ステップ７０６において、ＡＳ１２１は、見つけたＩＭＰＵを含むNOTIFYメッセージを送信する。見つけたＩＭＰＵは、ＳＩＰヘッダ又はメッセージ本文に設定される。同一のP-Access-Network-Infoを有するエントリがリスト８００に存在しない場合であっても、ＡＳ１２１はＩＭＰＵを含まないNOTIFYメッセージを送信する。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１００】
NOTIFY sip:room123.femto@operator.com
ＵＥ１１３がフェムトＣＰＥ１００のフェムトＢＳにより生成されたフェムトセルに入った場合、ステップＳ７０７において、ＵＥ１１３はフェムトＢＳ１０２からブロードキャストされたセル情報を受信する。ステップＳ７０８において、ＵＥ１１３とＳＧＳＮ／ＧＧＳＮ１３２との間のＩＭＳネットワーク１２０にアクセスするために、ＰＤＰコンテキストが起動される。
【０１０１】
ステップＳ７０９において、ＵＥ１１３は以下のREGISTERメッセージをＣＳＣＦ１２２に送信することによりＩＭＳネットワーク１２０に登録される。本実施形態の説明に必要なREGISTERメッセージのヘッダ部分の一例を以下に示す。ヘッダに含まれるべき他の部分は対応するＲＦＣ及び３ＧＰＰの規格に対応するため、本実施形態において、それらの説明は省略する。
【０１０２】
REGISTER sip:operator.com SIP/2.0
To: sip:bob@operator.com
Contact: 61.196.102.213
【０１０３】
ステップＳ７１０において、ＵＥ１１３は、P-Access-Network-Infoヘッダを含むSUBSCRIBEメッセージをＣＳＣＦ１２２を介してＡＳ１２１に送信することによりサービスプロバイダと契約する。本実施形態の説明に必要なSUBSCRIBEメッセージのヘッダ部分の一例を以下に示す。ヘッダに含まれるべき他の部分は対応するＲＦＣ及び３ＧＰＰの規格に対応するため、本実施形態において、それらの説明は省略する。
【０１０４】
SUBSCRIBE sip:service@findservice.com SIP/2.0
P-Access-Network-Info: xxx
P-Asserted-Identity: sip:bob@operator.com
（P-Asserted-Identityは、ＳＩＰメッセージの送信者を示し、ＣＳＣＦ１２２により添付される。）
【０１０５】
本発明の実施形態において、ＵＥ１１３の場所がフェムトＢＳ１０２により生成されたフェムトセルにおいて特定される場合、ステップＳ７０４でＨＩＧＡから及びステップＳ７１０でＵＥ１１３からそれぞれ受信されたSUBSCRIBEメッセージに含まれたP-Access-Network-Infoは同一である。ステップＳ７１１において、ＡＳ１２１は、受信したSUBSCRIBEメッセージからP-Access-Network-Info５００及びＵＥ１１３のＩＭＰＵ（ＳＩＰ ＵＲＩ）を抽出する。ＡＳ１２１は、SUBSCRIBEメッセージから抽出された値により図８のリスト８００を更新する。
【０１０６】
ＡＳ１２１がリスト８００を更新する場合、ＡＳ１２１は現在更新されたのと同一のP-Access-Network-Info８０２を有するエントリを見つけるためにリスト８００を探索する。この時、ＡＳ１２１は各々が同一のP-Access-Network-Infoを有する一対のエントリを見つける。ＡＳ１２１は、以下のステップにおいて、他方のＩＭＰＵを含む見つけられた対の各エントリにNOTIFYメッセージを送信する。
【０１０７】
ステップＳ７１２において、ＡＳ１２１はＵＥ１１３のＩＭＰＵを含むNOTIFYメッセージをＨＩＧＡ１０１に送信する。ＨＩＧＡ１０１に通知されるＩＭＰＵ（sip:bob@operator.com）は、メッセージのヘッダ又はメッセージ本文に添付されてもよい。ステップＳ７１３において、ＡＳ１２１は、ＨＩＧＡ１０１のＩＭＰＵを含むNOTIFYメッセージをＵＥ１１３に送信する。ＵＥ１１３に通知されるＩＭＰＵ（sip:room123.femto@operator.com）は、メッセージのヘッダ又はメッセージ本文に添付されてもよい。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１０８】
（Ｓ７１２の場合）
NOTIFY sip:room123.femto@operator.com SIP/2.0
Same-PANI-IMPU: bob@operator.com
（Ｓ７１３の場合）
NOTIFY sip:bob@operator.com SIP/2.0
Same-PANI-IMPU: room123.femto@operator.com
【０１０９】
本実施形態によると、ＨＩＧＡ１０１及びＵＥは、互いに通信するために受信したNOTIFYメッセージからＳＩＰ ＵＲＩを取得できる。
【０１１０】
ステップＳ７１４において、ＵＥ１１３は、P-Access-Network-Infoを含むPUBLISH ＳＩＰメッセージをＣＳＣＦ１２２を介してサービスプロバイダのＡＳ１２１に送信する。PUBLISHメッセージは、ＵＥ１１３のプレゼンス情報を更に含む（プレゼンス文書＃１）。本実施形態の説明に必要なPUBLISHメッセージのヘッダ部分の一例を以下に示す。ヘッダに含まれるべき他の部分は対応するＲＦＣ及び３ＧＰＰの規格に対応するため、本実施形態において、それらの説明は省略する。
【０１１１】
PUBLISH sip:service@findservice.com SIP/2.0
P-Access-Network-Info: xxx
P-Asserted-Identity: sip:bob@operator.com
【０１１２】
ＡＳ１２１は、プレゼンス情報を受信すると、ステップＳ７１５において、受信したPUBLISHメッセージに含まれたP-Access-Network-Infoと同一の値を見つけるためにリスト８００を探索する。本実施形態において、ＨＩＧＡ１０１のP-Access-Network-Infoは、ＵＥ１１３のP-Access-Network-Infoと同一である。
【０１１３】
ステップＳ７１６において、ＡＳ１２１はＩＭＰＵを使用してＵＥ１１３のプレゼンス情報（プレゼンス文書＃１）を含むNOTIFYメッセージを送信する。ＨＩＧＡ１０１に通知されるＩＭＰＵ（sip:bob@operator.com）は、メッセージのヘッダ又はメッセージ本文に添付されてもよい。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１１４】
NOTIFY sip:room123.femto@operator.com SIP/2.0
Same-PANI-IMPU: sip:bob@operator.com
【０１１５】
ＨＩＧＡ１０１は、NOTIFYメッセージを受信すると、接続されたクライアントデバイスに対して部屋の照明をつける等のある動作をトリガしてもよい。
【０１１６】
ＨＩＧＡ１０１は、自身に接続されたクライアントデバイスのいずれかを監視しており、例えばＵＰｎＰ発見手順に基づいて電源を投入する。ユーザが部屋のＴＶ１１１の電源を投入した場合、ステップＳ７１７において、ＵＰｎＰ発見手順がトリガされ、ＨＩＧＡ１０１はＴＶ１１１を見つける。
【０１１７】
デバイスが発見された場合、ステップＳ７１８において、ＨＩＧＡ１０１はP-Access-Network-Infoを使用してＣＳＣＦ１２２を介してサービスプロバイダのＡＳ１２１にPUBLISHメッセージを送信する。PUBLISHメッセージは、ＴＶ１１１（プレゼンス文書＃２）を含むＵＥ１１３に対して利用可能なクライアントデバイスに関するプレゼンス情報を更に含む。本実施形態において、プレゼンス情報は、デバイスＤＢ３０２に格納された対応するクライアントデバイスの制御ＵＲＩを含む。本実施形態の説明に必要なPUBLISHメッセージのヘッダ部分の一例を以下に示す。ヘッダに含まれるべき他の部分は対応するＲＦＣ及び３ＧＰＰの規格に対応するため、本実施形態において、それらの説明は省略する。
【０１１８】
PUBLISH sip:service@findservice.com SIP/2.0
P-Access-Network-Info: xxx
P-Asserted-Identity:
sip:room123.femto@operator.com
【０１１９】
ＡＳ１２１は、プレゼンス情報を受信すると、ステップＳ７１９において、受信したPUBLISHメッセージに含まれるP-Access-Network-Infoと同一の値を見つけるためにリスト８００を探索する。本実施形態において、ＵＥ１１３のP-Access-Network-Infoは、ＨＩＧＡ１０１のP-Access-Network-Infoと同一である。
【０１２０】
ステップＳ７２０において、ＡＳ１２１は、ＩＭＰＵを使用してＨＩＧＡ１０１から受信されたプレゼンス情報（プレゼンス文書＃２）を含むNOTIFYメッセージを送信する。ＵＥ１１３に通知されるＩＭＰＵ（sip:room123.femto@operator.com）は、メッセージのヘッダ又はメッセージ本文に添付されてもよい。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１２１】
NOTIFY sip:bob@operator.com SIP/2.0
Same-PANI-IMPU: sip:room123.femto@operator.com
【０１２２】
ＵＥ１１３は、このNOTIFYメッセージを受信すると、受信したＳＩＰメッセージに含まれた制御ＵＲＩを使用してＴＶ１１１を制御できる。
【０１２３】
上述した実施形態において、ＵＥ１１３がＨＩＧＡ１０１のパブリックアイデンティティ（sip:room123.femto@operator.com）を通知され且つＨＩＧＡ１０１がＵＥ１１３のパブリックアイデンティティ（sip:bob@operator.com）を通知されるが、一方向通知で十分だろう。互いに対して情報を提供する方法は、ＨＩＧＡ１０１及びＵＥのどちらがセッションセットアップを開始したかに依存する。
【０１２４】
図７の手順によると、ＵＥ１１３を有するモバイルユーザBobは、フェムトＣＰＥが位置するある特定のホテルの部屋１２３に滞在している場合、ＵＥ１１３からアクセスすることによりＩＭＳネットワーク１２０を介して接続された自身のホームサーバに格納されたビデオクリップを得ることができ、ステップＳ７２０において受信した制御ＵＲＩを使用して大きなＴＶ１１１でそれを見ることができる。
【０１２５】
図９は、ＨＩＧＡ１０１がフェムトＢＳ１０２により生成されたフェムトセルに新たに入るＵＥ１１３を見つける手順を示すシーケンス図の別の例を示す。この場合、サービスプロバイダＡＳ１２１は、ＨＩＧＡ１０１又はＵＥ１１３の登録状態が変更された時に通知を受信できるようにＣＳＣＦ１２２に加入する。
【０１２６】
図９に従う状況において、ＵＥ１１３、ＨＩＧＡ１０１、ＣＳＣＦ１２２及びＡＳ１２１のそれぞれに割り当てられたＳＩＰ ＵＲＩは、図７に従う状況と同一である。
【０１２７】
図９においても、点線は直前のＳＩＰ要求に対応するＳＩＰプロトコルに従う「200 OK」応答を示す。
【０１２８】
ステップＳ９０１において、サービスプロバイダのＡＳ１２１は、契約した顧客の登録状態の変更に関する通知を受信するためにＣＳＣＦ１２２に加入する。ＡＳ１２１は、少なくともＨＩＧＡ１０１及びＵＥ１１３に割り当てられたＳＩＰ ＵＲＩを含む契約した顧客のリストを有する。ＡＳ１２１は、ＳＩＰ ＵＲＩの各々に対するSUBSCRIBEメッセージをＣＳＣＦ１２２に送信する。
【０１２９】
本実施形態の説明に必要なSUBSCRIBEメッセージのヘッダ部分の一例を以下に示す。ヘッダに含まれるべき他の部分は対応するＲＦＣ及び３ＧＰＰの規格に対応するため、本実施形態において、それらの説明は省略する。
【０１３０】
SUBSCRIBE sip:room123.femto@operator.com SIP/2.0
Event: reg
Contact: sip:service@findservice.com
SUBSCRIBE sip:bob@operator.com SIP/2.0
Event: reg
Contact: sip:service@findservice.com
【０１３１】
上記において、「Event: reg」は、指定されたＳＩＰ ＵＲＩ（sip:room123.femto@operator.com又はsip:bob@operator.com）からの登録イベントが対応するＲＦＣ３６８０の規格に従って発生する場合にＣＳＣＦがＡＳ１２１に通知する要求にこのSUBSCRIBEメッセージが関連することを示す。「Contact」ヘッダは、NOTIFYメッセージの宛先アドレス、すなわちＡＳ１２１（sip:service@findservice.com）に設定される。ＡＳ１２１は、SUBSCRIBEメッセージを送信する場合、P-Asserted-Identityをメッセージに含める必要はない。ステップＳ９０２において、ＣＳＣＦはＡＳ１２１から受信したSUBSCRIBEメッセージに基づいて通知リストを作成する。
【０１３２】
図１０は、本発明の実施形態に係る通知リストを示す。リスト１０００は、ＩＭＰＵ１００１及び宛先アドレス１００２を含む。SUBSCRIBEメッセージ中の指定されたＳＩＰ ＵＲＩは、ＩＭＰＵ１００１に格納される。SUBSCRIBEメッセージ中の「Contact」フィールドに設定されたＳＩＰ ＵＲＩは、対応する指定されたアドレスと関連付けられた宛先アドレス１００２に格納される。
【０１３３】
ステップＳ９０３及びＳ９０４の手順が図７のステップＳ７０１及びＳ７０２の手順に対応するため、詳細な説明は省略する。
【０１３４】
ステップＳ９０５において、ＨＩＧＡ１０１は、以下のREGISTERメッセージをＣＳＣＦ１２２に送信することによりＩＭＳネットワーク１２０に登録される。本実施形態の説明に必要なREGISTERメッセージのヘッダ部分の一例を以下に示す。ヘッダに含まれるべき他の部分は対応するＲＦＣ及び３ＧＰＰの規格に対応するため、本実施形態において、それらの説明は省略する。
【０１３５】
REGISTER sip:operator.com SIP\2.0
To: sip:room123.femto@operator.com
Contact: 220.110.162.34
P-Access-Network-Info: xxx
【０１３６】
図９に係る本実施形態において、REGISTERメッセージは、受信したセル情報に基づいて生成されたP-Access-Network-Infoを含むべきである。
【０１３７】
ステップＳ９０６において、ＣＳＣＦ１２２は、登録イベントが通知リスト１０００を見つけるためにREGISTERメッセージに含まれるＳＩＰ ＵＲＩ（すなわち、sip:room123.femto@operator.com）を探索することによりＡＳ１２１に通知すべきであるかを判定する。ＣＳＣＦ１２２は、通知リストにおいて対応するＳＩＰ ＵＲＩを見つけた場合、ステップＳ９０７においてNOTIFYメッセージをＡＳ１２１に送信する。NOTIFYメッセージは、メッセージ本文に登録情報文書＃１を含む。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１３８】
NOTIFY sip:service@findservice.com SIP/2.0
Event: reg
【０１３９】
本実施形態において、ＣＳＣＦ１２２に対する登録されたＳＩＰ ＵＲＩは、ＲＦＣ３６８０規格に従ってＸＭＬ形式で「登録情報文書＃１」としてメッセージ本文に添付される。ＣＳＣＦは、ステップＳ９０５において受信したREGISTERメッセージから抽出されたP-Access-Network-Infoを「登録情報文書＃１」に更に含める。
【０１４０】
図１１は、本実施形態に係る「登録情報文書＃１」の一例を示す。図１１において、下線部分１１０１は、ＣＳＣＦ１２２に対する登録されたＳＩＰ ＵＲＩを示し、下線部分１１０２は登録されたデバイスからのP-Access-Network-Infoを示す。
【０１４１】
ステップＳ９０８において、ＡＳ１２１はNOTIFYメッセージに添付された文書からP-Access-Network-Info５００及びＨＩＧＡ１０１のＩＭＰＵ（ＳＩＰ ＵＲＩ）を抽出する。ＡＳ１２１は、図８に示すようなリスト８００を有し、受信した情報によりリスト８００を更新する。
【０１４２】
ステップＳ９０９及びＳ９１０の手順は図７のステップＳ７０６及びＳ７０７の手順に対応するため、詳細な説明は省略する。
【０１４３】
ステップＳ９１１において、ＵＥ１１３は、以下のREGISTERメッセージをＣＳＣＦ１２２に送信することによりＩＭＳネットワーク１２０に登録される。本実施形態の説明に必要なREGISTERメッセージのヘッダ部分の一例を以下に示す。ヘッダに含まれるべき他の部分は対応するＲＦＣ及び３ＧＰＰの規格に対応するため、本実施形態において、それらの説明は省略する。
【０１４４】
REGISTER sip:operator.com SIP/2.0
To: sip:bob@operator.com
Contact: 61.196.102.213
P-Access-Network-Info: xxx
【０１４５】
図９に係る本実施形態において、REGISTERメッセージは、受信したセル情報に基づいて生成されたP-Access-Network-Infoを含むべきである。
【０１４６】
ステップＳ９１２において、ＣＳＣＦ１２２は、登録イベントが通知リスト１０００を見つけるためにREGISTERメッセージに含まれるＳＩＰ ＵＲＩ（すなわち、sip:bob@operator.com）を探索することによりＡＳ１２１に通知すべきであるかを判定する。ＣＳＣＦ１２２は、通知リストにおいて対応するＳＩＰ ＵＲＩを見つけた場合、ステップＳ９１３においてNOTIFYメッセージをＡＳ１２１に送信する。NOTIFYメッセージは、メッセージ本文に登録情報文書＃２を含む。
【０１４７】
本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１４８】
NOTIFY sip:service@findservice.com SIP/2.0
Event: reg
【０１４９】
本実施形態において、登録されたＳＩＰ ＵＲＩ（すなわち、sip:bob@operator.com）は、ＲＦＣ３６８０規格に従ってＸＭＬ形式で「登録情報文書＃２」としてメッセージ本文に添付される。ＣＳＣＦは、ステップＳ９１２において受信したREGISTERメッセージから抽出されたP-Access-Network-Infoを「登録情報文書＃２」に更に含める。
【０１５０】
ステップＳ９１４において、ＡＳ１２１は、NOTIFYメッセージに添付された文書からP-Access-Network-Info５００及びＨＩＧＡ１０１のＩＭＰＵ（ＳＩＰ ＵＲＩ）を抽出する。ＡＳ１２１は、図８に示すようなリスト８００を有し、受信した情報によりリスト８００を更新する。
【０１５１】
リスト８００が更新された場合、ステップＳ９１５において、ＡＳ１２１は更新されたP-Access-Network-Infoと同一の値を見つけるためにリスト８００を探索する。本実施形態において、ＨＩＧＡ１０１のP-Access-Network-InfoはＵＥ１１３のP-Access-Network-Infoと同一である。ＡＳ１２１は、それぞれ異なるＩＭＰＵ８０１と関連付けられたP-Access-Network-Info８００の集合を見つけた場合、以下のようにＳＩＰメッセージを各宛先に送信する。
【０１５２】
ステップＳ９１６において、ＡＳ１２１はパブリックアイデンティティであるＵＥ１１３のＩＭＰＵを使用してMESSAGEメッセージをＨＩＧＡ１０１に送信する。本実施形態の説明に必要なMESSAGEメッセージのヘッダ部分の一例を以下に示す。ヘッダに含まれるべき他の部分は対応するＲＦＣ及び３ＧＰＰの規格に対応するため、本実施形態において、それらの説明は省略する。
【０１５３】
MESSAGE sip:room123.femto@operator.com SIP/2.0
Same-PANI-IMPU: sip:bob@operator.com
【０１５４】
ＨＩＧＡ１０１に通知されるＩＭＰＵ（sip:bob@operator.com）は、メッセージのヘッダ又はメッセージ本文に添付されてもよい。
【０１５５】
ステップＳ９１７において、ＡＳ１２１はパブリックアイデンティティであるＨＩＧＡ１０１のＩＭＰＵを使用してMESSAGEをＵＥ１１３に送信する。本実施形態の説明に必要なMESSAGEメッセージのヘッダ部分の一例を以下に示す。ヘッダに含まれるべき他の部分は対応するＲＦＣ及び３ＧＰＰの規格に対応するため、本実施形態において、それらの説明は省略する。
【０１５６】
MESSAGE sip:bob@operator.com SIP/2.0
Same-PANI-IMPU: sip:room123.femto@operator.com
【０１５７】
ＵＥ１１３に通知されるＩＭＰＵ（sip:room123.femto@operator.com）は、メッセージのヘッダ又はメッセージ本文に添付されてもよい。
【０１５８】
ＨＩＧＡ１０１は、現在ＵＥが部屋に存在することを認識しており、ＵＥのユーザが自身のＵＥを使用して選択できるＴＶ番組のリスト等のいくつかのサービスを提供する。
【０１５９】
図１２は、ＨＩＧＡ１０１がフェムトＢＳ１０２により生成されたフェムトセルに新たに入るＵＥ１１３を見つける手順を示すシーケンス図の更なる例を示す。この場合、ＡＳ１２１は、ＨＩＧＡ１０１及びＵＥ１１３にプレゼンス情報を提供するＩＭＳオペレータのプレゼンスサーバとして動作する。
【０１６０】
図１２に従う状況において、各々がＵＥ１１３、ＨＩＧＡ１０１及びＣＳＣＦ１２２に割り当てられたＳＩＰ ＵＲＩは、図７に従う状況と同一である。ＡＳに割り当てられたＳＩＰ ＵＲＩは以下の通りである。
【０１６１】
ＡＳ１２１：sip:ps.operator.com
図１２においても、点線は直前のＳＩＰ要求に対応するＳＩＰプロトコルに従う「200 OK」応答を示す。
【０１６２】
図１２において、ステップＳ１２０１〜ステップＳ１２０３に従う処理が図７のステップＳ７０１〜Ｓ７０３に従う処理と類似しているため、対応する説明は省略する。
【０１６３】
ステップＳ１２０４において、ＨＩＧＡ１０１はP-Access-Network-Infoヘッダを含むSUBSCRIBEメッセージをＣＳＣＦ１２２を介してＡＳ１２１に送信することによりプレゼンスに加入する。ＣＳＣＦ１２２におけるＡＳ１２１へのルーティングは、ＨＩＧＡ１０１の初期フィルタ基準（ＩＦＣ）に基づいて行われる。本実施形態の説明に必要なSUBSCRIBEメッセージのヘッダ部分の一例を以下に示す。ヘッダに含まれるべき他の部分はＲＦＣ及び３ＧＰＰの規格に対応するため、本実施形態において、それらの説明は省略する。
【０１６４】
SUBSCRIBE sip:room123.femto@operator.com SIP/2.0
Event: presence
P-Access-Network-Info: xxx
【０１６５】
ステップＳ１２０５において、ＡＳ１２１は、受信したSUBSCRIBEメッセージからP-Access-Network-Info５００及びＨＩＧＡ１０１のＩＭＰＵ（ＳＩＰ ＵＲＩ）を抽出する。ＡＳ１２１は、ＰＡＮＩ及びＩＭＰＵと関連付けられたプレゼンス情報を含むプレゼンステーブルを有し、抽出された情報によりプレゼンステーブルを更新する。
【０１６６】
図１３は、本発明の実施形態に係るプレゼンステーブル１３００を示す。プレゼンステーブル１３００は、ＩＭＰＵ１３０１、P-Access-Network-Info（ＰＡＮＩ）１３０２及びプレゼンス文書１３０３を含む。ＩＭＰＵ１３０１及びＰＡＮＩ１３０２は、上述したものと同一である。プレゼンス情報１３０３において、プレゼンス文書はそれぞれＩＭＰＵ１３０１及びＰＡＮＩ１３０２と関連付けられて格納される。各プレゼンス文書は対応する装置の状態を含む。
【０１６７】
ＡＳ１２１は、プレゼンステーブル１３００を更新する場合、現在更新されたのと同一のＰＡＮＩ１３０２を有するエントリを見つけるためにテーブルを探索する。ステップ１２０６において、ＡＳ１２１はＨＩＧＡ１０１のプレゼンス情報を含むNOTIFYメッセージを送信する。ＡＳ１２１がＨＩＧＡ１０１と同一のＰＡＮＩを有するエントリを見つけた場合、添付されたプレゼンス情報は見つけられたエントリの対応するＩＭＰＵ１３０１を含む。同一のＰＡＮＩを有するエントリがプレゼンステーブル１３００に存在しない場合であっても、ＡＳ１２１はＩＭＰＵ１３０１を含まないプレゼンス情報を含むNOTIFYメッセージを送信する。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１６８】
NOTIFY sip:room123.femto@operator.com
図１２において、ステップＳ１２０７〜ステップＳ１２０９に従う処理が図７のステップＳ７０７〜Ｓ７０９に従う処理と類似しているため、対応する説明は省略する。
【０１６９】
ステップＳ１２１０において、ＵＥ１１３は、P-Access-Network-Infoヘッダを含むSUBSCRIBEメッセージをＣＳＣＦ１２２を介してＡＳ１２１に送信することによりプレゼンスに加入する。ＣＳＣＦ１２２におけるＡＳ１２１へのルーティングは初期フィルタ基準（ＩＦＣ）に基づいて行われる。本実施形態の説明に必要なSUBSCRIBEメッセージのヘッダ部分の一例を以下に示す。ヘッダに含まれるべき他の部分はＲＦＣ及び３ＧＰＰの規格に対応するため、本実施形態において、それらの説明は省略する。
【０１７０】
SUBSCRIBE sip:bob@operator.com SIP/2.0
Event: presence
P-Access-Network-Info: xxx
【０１７１】
ステップＳ１２１１において、ＡＳ１２１は受信したSUBSCRIBEメッセージからＰ−ＡＮＩ５００及びＵＥ１１３のＩＭＰＵ（ＳＩＰ ＵＲＩ）を抽出する。ＡＳ１２１は、SUBSCRIBEメッセージから抽出した値によりプレゼンステーブル１３００を更新する。
【０１７２】
ＡＳ１２１は、プレゼンステーブル１３００を更新した場合、現在更新されたのと同一のＰＡＮＩ１３０２を有するエントリを見つけるためにテーブル１３００を探索する。この時、ＡＳ１２１は各々が同一のＰＡＮＩを有する一対のエントリを見つける。ＡＳ１２１は、以下のステップにおいて更新されたプレゼンス情報を含む見つけられた対の各エントリにNOTIFYメッセージを送信する。
【０１７３】
ステップＳ１２１２において、ＡＳ１２１は、ＨＩＧＡ１０１のプレゼンス情報を含むNOTIFYメッセージを送信し、プレゼンス情報は、図１４の下線部分１４０１に示されるようなＵＥ１１３のＩＭＰＵを含む。ステップＳ１２１３において、ＡＳ１２１は、ＵＥ１１３のプレゼンス情報を含むNOTIFYメッセージを送信し、プレゼンス情報は、図１５の下線部分１５０１に示されるようなＨＩＧＡ１０１のＩＭＰＵを含む。
【０１７４】
本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１７５】
（ＨＩＧＡの場合）
NOTIFY sip:room123.femto@operator.com SIP/2.0
Event: presence
（ＵＥの場合）
NOTIFY sip:bob@operator.com SIP/2.0
Event: presence
【０１７６】
本実施形態によると、ＨＩＧＡ１０１及びＵＥは、互いに通信するために受信したプレゼンス情報からＳＩＰ ＵＲＩを取得できる。
【０１７７】
上記実施形態において、ＨＩＧＡ１０１及びフェムトＢＳ１０２は単一のデバイスに組み込まれる。しかし、本発明の実施形態に係る実現例はこれに限定されない。例えば、ＨＩＧＡ１０１及びフェムトＢＳ１０２は別個に配置されてもよく、有線接続又は無線接続を使用してローカルエリアネットワーク（ＬＡＮ）を介して接続されてもよい。尚、ＨＩＧＡ１０１とフェムトＢＳ１０２との間でＩＰレベルの接続性が仮定されるが、接続はＵＥ１１３からユーザデータを送信するために使用されない。ＨＩＧＡ１０１がＵＰｎＰ制御点及びＳＩＰ Ｂ２ＢＵＡ機能を有するため、ＵＰｎＰ又はＳＩＰプロトコルはＨＩＧＡ１０１とフェムトＢＳ１０２との間のプロトコルとして非常に適する。フェムトＢＳ１０２は、P-Access-Network-Infoを生成し、ＬＡＮを介してＨＩＧＡ１０１に与えてもよい。あるいは、フェムトＢＳ１０２は、P-Access-Network-Infoを生成するのに必要な情報をＨＩＧＡ１０１に与えてもよい。
【０１７８】
フェムトＢＳ１０２は、２つ以上のフェムトセルを生成してもよい。これは、フェムトＢＳ１０２が２つ以上のセクタを有することを意味する。一例は、第１のセクタ（セクタ１）を１つの部屋（部屋１）に割り当て、第２のセクタ（セクタ２）を部屋１に隣接する別の部屋（部屋２）に割り当てることであってもよい。この状況において、P-Access-Network-Infoはセクタ１とセクタ２との間で異なる値をとる。これらの２つの部屋を混同しないようにする１つの方法は、異なるＩＭＰＵを各セクタに割り当て、それらをＡＳ１２１に公開することである。P-Access-Network-InfoとＩＭＰＵとの間の１対１マッピングにより、ＡＳ１２１はＩＭＳメッセージを適切な部屋に出力できる。
【０１７９】
本発明は、ユーザの移動電話が無線ＬＡＮを使用するＨＩＧＡ１０１へのローカル接続性を有さない場合でも、ＨＩＧＡ１０１がフェムトＢＳ１０２と共に配置される時に、ＨＩＧＡ１０１及びＨＩＧＡ１０１により提供されるサービスを発見する容易な方法を移動電話ユーザに提供する。
【０１８０】
本発明は、フェムトＣＰＥにおいてＲＮＣ、ＧＧＳＮ及びＳＧＳＮ機能を実現することを要求しないため、複雑さ及び費用を増加しない。
【０１８１】
以下において、図２に示すような屋内の状況におけるＨＩＧＡ１０１及びＷＬＡＮ−ＡＰ１０３のインストールに係る更なる実施形態を説明する。
【０１８２】
図３Ｄは、本発明の実施形態に係る例示的なＨＩＧＡ１０１及びＷＬＡＮ−ＡＰ１０３を示す。
【０１８３】
本発明に係るＨＩＧＡ１０１のハードウェア構成は、図３Ａに示すハードウェア構成と類似する。ＨＩＧＡ１０１は、少なくともＩＳＩＭ３０１、デバイスＤＢ３０２、ＳＩＰ ＵＡ／ＵＡプロキシユニット３０３、Ｂ２ＢＵＡ３０４、無線通信Ｉ／Ｆ３０７及び制御／処理ユニット３０６を含む。
【０１８４】
ＨＩＧＡ１０１とクライアントデバイス１１１又は１１２との間の通信は、ＷＬＡＮ−ＡＰ１０３により生成されたＷＬＡＮ１を介して確立される。通信Ｉ／Ｆ３０７は、ＨＩＧＡ１０１とクライアントデバイスとの間の無線通信のためのインタフェースである。
【０１８５】
ＷＬＡＮ−ＡＰ１０３は少なくともトランシーバ３５１及び制御／処理ユニット３５２を含む。トランシーバ３５１は、ＨＩＧＡ１０１とクライアントデバイスとの間の通信を提供するためにＷＬＡＮ１（１０４）を生成する。トランシーバ３５１は、ブロードバンドアクセスネットワーク１４０及びＷＡＧ１３３を介してＰＤＧ１３４と通信するためにＵＥ１１３に対するＷＬＡＮ２（１０５）を更に生成する。
【０１８６】
制御／処理ユニット３５２は、ＳＩＰメッセージの生成及びＵＰｎＰデバイス発見機能を含むＷＬＡＮ−ＡＰ１０３における処理全体を制御する。制御／処理ユニット３５２はブロードバンドアクセスネットワーク１４０に接続され、ブロードバンドアクセスネットワーク１４０はＳＩＰメッセージを含む情報を送受信するためにＷＡＧ１３３に接続される。
【０１８７】
図１６は、ＨＩＧＡ１０１が開始（又は再開）され且つＷＬＡＮ−ＡＰ１０３により生成されたＷＬＡＮ２に新たに接続するＵＥ１１３を見つける手順を示すシーケンス図の一例を示す。この場合、ＨＩＧＡ１０１はサービスプロバイダのＡＳ１２１に加入する。更にＵＥ１１３がサービスプロバイダのＡＳ１２１に加入している場合、ＨＩＧＡ１０１は通知を受信する。
【０１８８】
図１６に従う状況において、クライアントデバイスはＨＩＧＡに接続されたＴＶである。各々がＵＥ１１３、ＨＩＧＡ１０１、ＣＳＣＦ１２２及びＡＳ１２１に割り当てられたＳＩＰ ＵＲＩは図７に従う状況と同一である。
【０１８９】
図１６において、点線は直前のＳＩＰ要求に対応するＳＩＰプロトコルに従う「200 OK」応答を示す。
【０１９０】
ステップＳ１６０１において、ＨＩＧＡが開始又は再開されると、ＨＩＧＡはＷＬＡＮ１を介してＷＬＡＮ−ＡＰ１０３との無線接続をセットアップし、ＷＬＡＮ−ＡＰ１０３のＭＡＣアドレスを取得する。ステップＳ１６０２において、ＨＩＧＡ１０１は、３ＧＰＰ ＴＳ２４．２２９（Ｖ７．１１．０）、７．２Ａ．４に係るＷＬＡＮ−ＡＰの取得したＭＡＣアドレスを使用してP-Access-Network-Info（ＰＡＮＩ）５００を生成する。従って、本実施形態において、例えばaccess-typeフィールド５０１は「IEEE-802.11g」に設定され、access-infoフィールド５０２はＭＡＣアドレスを示す。
【０１９１】
ステップＳ１６０３において、ＨＩＧＡ１０１は、生成されたＰＡＮＩ５００を含むＳＩＰメッセージをＡＳ１２１に送信する。本実施形態の説明に必要なＳＩＰメッセージのヘッダ部分の一例を以下に示す。ヘッダに含まれるべき他の部分は対応するＲＦＣ及び３ＧＰＰの規格に対応するため、本実施形態において、それらの説明は省略する。
【０１９２】
SUBSCRIBE sip:service@findservice.com SIP\2.0
P-Access-Network-Info: xxx
P-Asserted-Identity:
sip:room123.femto@operator.com
（P-Aeerted-Identityは、ＳＩＰメッセージの送信者を示し、ＣＳＣＦ１２２により添付される。）
【０１９３】
ステップＳ１６０４において、ＡＳ１２１は、受信したＳＩＰメッセージからP-Access-Network-Info５００及びＨＩＧＡ１０１のＩＭＰＵ（ＳＩＰ ＵＲＩ）を抽出する。ＡＳ１２１は、ＩＭＰＵと関連付けられたP-Access-Network-Infoのリストを有し、抽出した情報によりリストを更新する。リストは、図８のリスト８００と類似している。本実施形態において、ＡＳ１２１は「xxx」をP-Access-Network-Infoとして受信し、受信した値によりP-Access-Network-Info８０２を更新する。
【０１９４】
ＡＳ１２１は、リスト８００を更新する場合、現在更新されたのと同一のP-Access-Network-Info８０２を有するエントリを見つけるためにリスト８００を探索する。ステップ１６０５において、ＡＳ１２１は、見つけたＩＭＰＵを含むNOTIFYメッセージを送信する。同一のP-Access-Network-Infoを有するエントリがリスト８００に存在しない場合であっても、ＡＳ１２１は、ＩＭＰＵを含まないNOTIFYメッセージを送信する。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０１９５】
NOTIFY sip:room123.femto@operator.com SIP/2.0
【０１９６】
ステップＳ１６０６において、ＵＥ１１３は、ＷＬＡＮ２を介するＷＬＡＮ−ＡＰ１０３との間の無線接続をセットアップし、例えばＡＲＰを使用してＷＬＡＮ−ＡＰ１０３のＭＡＣアドレスを取得する。ステップＳ１６０７において、ＵＥ１１３は、取得したＰＡＮＩ５００を使用してP-Access-Network-Info５００を生成する。ＵＥ１１３により生成されたＰＡＮＩは、ステップＳ１６０２においてＨＩＧＡにより生成されたＰＡＮＩと同一である。
【０１９７】
ステップＳ１６０８において、ＵＥ１１３及び３ＧＰＰ ＡＡＡ／ＨＳＳ１３５は、３ＧＰＰ ＴＳ３３．２３４及びＴＳ２３．２３４に従って相互認証を実行する。ステップＳ１６０９において、ＵＥ１１３及びＰＤＧ１３４は、ＴＳ３３．２３４及びＴＳ２３．２３４に従ってセキュリティ保護されたＩＰトンネル１４１をセットアップする。
【０１９８】
ステップＳ１６１０において、ＵＥ１１３は生成されたＰＡＮＩ５００を含むＳＩＰメッセージをＡＳ１２１に送信する。本実施形態の説明に必要なＳＩＰメッセージのヘッダ部分の一例を以下に示す。ヘッダに含まれるべき他の部分は対応するＲＦＣ及び３ＧＰＰの規格に対応するため、本実施形態において、それらの説明は省略する。
【０１９９】
SUBSCRIBE sip:service@findservice.com SIP/2.0
P-Access-Network-Info: xxx
P-Asserted-Identity: sip:bob@operator.com
（P-Asserted-Identityは、ＳＩＰメッセージの送信者を示し、ＣＳＣＦ１２２により添付される。）
【０２００】
ステップＳ１６１１において、ＡＳ１２１は、受信したＳＩＰメッセージからP-Access-Network-Info５００及びＵＥ１１３のＩＭＰＵ（ＳＩＰ ＵＲＩ）を抽出する。ＡＳ１２１は、ＳＩＰメッセージから抽出された値によりリスト８００を更新する。
【０２０１】
ＡＳ１２１は、リスト８００を更新する場合、現在更新されたものと同一のP-Access-Network-Info８０２を有するエントリを見つけるためにリスト８００を探索する。この時、ＡＳ１２１は、各々が同一のP-Access-Network-Infoを有する一対のエントリを見つける。ＡＳ１２１は、以下のステップにおいて、他方のＩＭＰＵを含む見つけた対の各エントリに対してNOTIFYメッセージを送信する。
【０２０２】
ステップＳ１６１２において、ＡＳ１２１はＵＥ１１３のＩＭＰＵを含むNOTIFYメッセージをＨＩＧＡ１０１に送信する。ＨＩＧＡ１０１に通知されるＩＭＰＵ（sip:bob@operator.com）は、メッセージのヘッダ又はメッセージ本文に添付されてもよい。ステップＳ１６１３において、ＡＳ１２１はＨＩＧＡ１０１のＩＭＰＵを含むNOTIFYメッセージをＵＥ１１３に送信する。ＵＥ１１３に通知されるＩＭＰＵ（sip:room123.femto@operator.com）は、メッセージのヘッダ又はメッセージ本文に添付されてもよい。本実施形態の説明に必要なNOTIFYメッセージのヘッダ部分の一例を以下に示す。ヘッダに含まれるべき他の部分は対応するＲＦＣ及び３ＧＰＰの規格に対応するため、本実施形態において、それらの説明は省略する。
【０２０３】
（ＨＩＧＡ１０１の場合）
NOTIFY sip:room123.femto@operator.com SIP/2.0
Same-PANI-IMPU: sip:bob@operator.com
【０２０４】
（ＵＥ１１３の場合）
NOTIFY sip:bob@operator.com SIP/2.0
Same-PANI-IMPU: sip:room123.femto@operator.com
本実施形態によると、ＨＩＧＡ１０１及びＵＥは、互いに通信するために、受信したNOTIFYメッセージからＳＩＰ ＵＲＩを取得できる。ＵＥ１１３は、セキュリティ保護されたＩＰトンネル１４１を使用してＩＭＳネットワーク１２０を介してＴＶ１１１にアクセスしてもよい。
【０２０５】
図２に従う状況において、図７のステップＳ７１４及びＳ７１８に示すようにＨＩＧＡ１０１又はＵＥ１１３からＡＳ１２１にPUBLISHメッセージを送信でき、図７のステップＳ７１６及びＳ７２０に示すようにＨＩＧＡ１０１又はＵＥ１１３においてＡＳ１２１からNOTIFYメッセージを受信できる。
【０２０６】
更に図１６に示すシーケンス図は、ステップＳ１６０１、Ｓ１６０２、Ｓ１６０６及びＳ１６０７のP-Access-Network-Info生成処理、ステップＳ１６０８の認証処理、並びにステップＳ１６０９のセキュリティ保護されたＩＰトンネルの確立処理を変更せずに図９又は図１２に従って変更可能である。
【０２０７】
従って、ホテルスタッフ等のＷＬＡＮ−ＡＰ１０３のオペレータは、ＩＭＳネットワーク１２０を所有するＩＭＳオペレータにＵＥ１１３の認証を任せることができる。ＵＥ１１３がＩＭＳメッセージを使用して部屋１２３においてＨＩＧＡ１０１へのリモートアクセスを要求する場合、ＣＳＣＦ１２１はＩＭＳネットワーク１２０において既に認証されたP-Asserted-IdentityヘッダとしてＵＥのパブリックユーザアイデンティティ（ＩＭＰＵ）を添付する。
【０２０８】
また、ホテル等の部屋の所有者は、ＩＭＳネットワーク１２０を所有するＩＭＳオペレータにサービス利用の課金を任せることができる。ＩＭＳネットワーク１２０は、リモートアクセスの場合にＵＥ１１３とＨＩＧＡ１０１との間のいかなる制御及びデータフローも監視でき、電話の請求書にＴＶサービスを課金できる。
【０２０９】
更に、ＰＤＧ１３４がＷＬＡＮ−ＡＰ１０３により使用されたＩＰアドレスとは異なるパブリックＩＰアドレスを割り当てるため、ＷＬＡＮ１又はＷＬＡＮ２上の他のユーザにより行われたインターネットアクセスとＵＥ１１３により行われたインターネットアクセスとを区別できる。ＵＥ１１３がＷＬＡＮ１（１０４）のユーザと同一のパブリックＩＰアドレスを使用するとする。この時、ユーザがウェブサイトに違法な写真を掲載する等の犯罪を犯した場合、そのユーザが行ったのか又はＷＬＡＮ１を使用する誰かが行ったのかをアクセスログにおいて検出できない。
【０２１０】
この展開に関する問題は、ＵＥ１１３がＷＬＡＮ１（１０４）に直接属するＨＩＧＡ１０１及びＴＶ１１１を見つけられないことである。実施形態に係る本発明は、フェムトＢＳ１０２と同様にP-Access-Network-Infoを使用することによりこの問題を解決する。
【図１Ａ】
2011525307.tif 000003
【図１Ｂ】
2011525307.tif 000004
【図２】
2011525307.tif 000005
【図３Ａ】
2011525307.tif 000006
【図３Ｂ】
2011525307.tif 000007
【図３Ｃ】
2011525307.tif 000008
【図３Ｄ】
2011525307.tif 000009
【図４】
2011525307.tif 000010
【図５】
2011525307.tif 000011
【図６】
2011525307.tif 000012
【図７】
2011525307.tif 000013
【図８】
2011525307.tif 000014
【図９】
2011525307.tif 000015
【図１０】
2011525307.tif 000016
【図１１】
2011525307.tif 000017
【図１２】
2011525307.tif 000018
【図１３】
2011525307.tif 000019
【図１４】
2011525307.tif 000020
【図１５】
2011525307.tif 000021
【図１６】
2011525307.tif 000022
【国際調査報告】
2011525307.tif 000023
2011525307.tif 000024
2011525307.tif 000025
2011525307.tif 000026
2011525307.tif 000027
2011525307.tif 000028